(57)【要約】【課題】従来の吸収体物品の吸収能力についての課題及び着用者の肌が長期間にわたり湿潤状態に曝されることによって生じる課題を解決することができる吸収体物品の提供。【解決手段】シート状の防漏体と、防漏体の上部に少なくとも一層配置された体液を吸収しうる吸収体とを有する吸収体物品本体と、吸収体物品本体の長さ方向の前端部から後端部にわたって配置される連結構造体とを具備する吸収体物品であって、連結構造体が、左右一対の帯状支持体と、左右の縁部がそれぞれ左右一対の帯状支持体と結合する連結シートとを有し、連結シートが、帯状支持体の下側に吸収体に向かって垂下するように構成されて、連結シートの左右の縁部付近が側面、連結シートの左右方向の中央部付近が底面となる、体液受容キャナルが形成されており、体液受容キャナルが、着用者から排出された体液の受容及び吸収体への移行を可能とする、吸収体物品。【選択図】図１
2014057571.tif 000002
【特許請求の範囲】
【請求項１】
シート状の防漏体と、前記防漏体の上部に少なくとも一層配置された体液を吸収しうる吸収体とを有する吸収体物品本体と、
前記吸収体物品本体の長さ方向の前端部から、前身頃、股下部及び後身頃を経て、後端部にわたって配置され、前記吸収体物品本体と前記前端部及び前記後端部において結合する連結構造体と
を具備する吸収体物品であって、
前記連結構造体が、左右一対の帯状支持体と、左右の縁部がそれぞれ前記左右一対の帯状支持体と結合する連結シートとを有し、
前記連結シートが、前身頃、股下部及び後身頃において、前記帯状支持体の下側に前記吸収体に向かって垂下するように構成されて、前記連結シートの前記左右の縁部付近が側面、前記連結シートの左右方向の中央部付近が底面となる、体液受容キャナルが形成されており、
前記体液受容キャナルが、着用者から排出された体液の受容及び前記吸収体への移行を可能とする、吸収体物品。
【請求項２】
前記体液受容キャナルの底面を構成する前記連結シートの下面の一部と前記吸収体の表面とが結合している、請求項１に記載の吸収体物品。
【請求項３】
前記連結シートの前記底面を構成する部分が、股下部において、前記吸収体の表面と結合していない部分を有する、請求項２に記載の吸収体物品。
【請求項４】
前記連結シートの前記底面を構成する部分が、前後方向の少なくとも１箇所において、前記底面の左右方向の全幅にわたって前記吸収体の表面と結合していない部分を有する、請求項２又は３に記載の吸収体物品。
【請求項５】
前記体液受容キャナルがその上部に開口を有する、請求項１〜４のいずれかに記載の吸収体物品。
【請求項６】
前記帯状支持体が少なくともその一部に伸縮性を有する、請求項１〜５のいずれかに記載の吸収体物品。
【請求項７】
前記体液受容キャナルを構成する前記連結シートに、着用者から排出された体液を前記吸収体に移行させるための出口となる切欠きが設けられている、請求項１〜６のいずれかに記載の吸収体物品。
【請求項８】
前記体液受容キャナルを構成する前記連結シートに、着用者から排出された体液を前記吸収体に移行させるための出口となる開口が設けられている、請求項１〜７のいずれかに記載の吸収体物品。
【請求項９】
前記体液受容キャナルを構成する前記連結シートに、着用者から排出された体液を前記吸収体に移行させるための出口となるスリットが設けられている、請求項１〜８のいずれかに記載の吸収体物品。
【請求項１０】
前記連結シートの一部又は全部が疎水性の不織布により構成されている、請求項１〜９のいずれかに記載の吸収体物品。
【請求項１１】
前記連結シートの一部又は全部が親水性の不織布により構成されている、請求項１〜９のいずれかに記載の吸収体物品。
【請求項１２】
前記連結シートの一部又は全部が疎水性部分と親水性部分を併有する不織布により構成されている、請求項１〜９のいずれかに記載の吸収体物品。
【請求項１３】
前記連結シートが液透過性の開孔フィルムにより構成されている、請求項１〜９のいずれかに記載の吸収体物品。
【請求項１４】
前記連結構造体が、その前端及び前記前端から連なる左右両縁の部分において、前記吸収体物品本体と結合しており、前記連結構造体と前記吸収体物品本体とにより前部ポケットが形成されている、請求項１〜１３のいずれかに記載の吸収体物品。
【請求項１５】
前記連結構造体が、その後端及び前記後端から連なる左右両縁の部分において、前記吸収体物品本体と結合しており、前記連結構造体と前記吸収体物品本体とにより後部ポケットが形成されている、請求項１〜１４のいずれかに記載の吸収体物品。
【請求項１６】
前記体液受容キャナルの垂下度が、股下部から後身頃にかけて小さくなっていく、請求項１〜１５のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
【請求項１７】
前記体液受容キャナルの垂下度が、股下部から前身頃にかけて小さくなっていく、請求項１〜１６のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
【請求項１８】
更に、前記体液受容キャナルの左右方向の外側にインナーレッグギャザーが設けられている、請求項１〜１７のいずれかに記載の吸収体物品。
【請求項１９】
更に、前記吸収体物品本体の左右縁部にアウターレッグギャザーが設けられている、請求項１〜１８のいずれかに記載の吸収体物品。
【発明の詳細な説明】
【技術分野】
【０００１】
本発明は、体液受容キャナルを備えた吸収体物品に関する。
【背景技術】
【０００２】
紙おむつ（Ｄｉｓｐｏｓａｂｌｅ  Ｄｉａｐｅｒ）（子供用及び大人用）、生理用ナプキン、失禁用品、トレーニングパンツ等の吸収体物品は、高吸水性樹脂（Ｓｕｐｅｒ  Ａｂｓｏｒｂｅｎｔ  Ｐｏｌｙｍｅｒ、以下「ＳＡＰ」ともいう。）やフラッフ状パルプ等を用いた吸収体により、着用者から排出された尿等の体液を吸収する物品である。
従来の吸収体物品においては、排出された体液は、排出器から直接に吸収体の表面上に排出され、吸収体の表面における拡散と、吸収体の表面から吸収体の内部への移行とにより、吸収体に吸収され、固定される。したがって、吸収体物品から外部への体液のリーク（漏れ）を防ぐためには、吸収体物品を着用者の身体に隙間が生じないように密着させ、かつ、吸収体の表面と着用者の肌、特に排出器とを密着させることが必要である。【０００３】
このような従来の吸収体物品を、吸収体物品の持つ吸収能力を最大限に生かして、効率良く使用するには、１回の体液の排泄のたびに吸収体物品を交換するのではなく、体液が１回排出されても交換せずに、２回目以降の体液の排泄まで使用を続ける複数回使用が必要となる。
しかしながら、複数回使用の場合は、着用者は、必然的に、長時間にわたって、体液で濡れている吸収体の表面と肌とを密着させた状態で維持しなければならなくなる。このような長時間にわたって着用者の肌に体液が接触する状態は、着用者にとって不快であるだけでなく、皮膚を膨化させ、細菌増殖の原因となり、かぶれや炎症を引き起こすことになる。【０００４】
このような従来の吸収体物品の使用に伴う問題点の改善のために、通気性バックシートの使用、表面シートの改良等の努力がなされてきたが、結局は吸収能力にまだ十分余力が残っていても、吸収体の表面が濡れる状態を感知して、新たな吸収体物品と交換することで皮膚トラブルの発生を回避しているのが実情である。例えば、子供用おむつでは、平均的に吸収能力の４０％程度しか利用されていないといわれている。
【発明の概要】
【発明が解決しようとする課題】
【０００５】
本発明者は、省資源・省エネルギーが時代の要請である現在、吸収体物品の効率的な使用と、体液と皮膚との長時間の接触により生じる問題の発生防止とを両立することができる吸収体物品の開発について、検討した。
本発明者は、まず、問題の所在を明らかにするために、あらためて吸収体物品とはどのようなものであるかを、紙おむつを例に具体的な解析を行った。【０００６】
図２８は、紙おむつのライフサイクルの説明図である。
紙おむつのライフサイクルとは、着用者が、未使用の紙おむつを装着し、体液（尿）の受容、体液の分配、体液の吸収・固定からなる使用サイクルを繰り返して多数回使用し（図２８では３回）、使用済みとして脱着し、廃棄するまでの一連の工程を包含するものである。
本発明者は、この紙おむつのライフサイクルについて検討し、多数回の繰り返し使用を可能にし、効率性と快適性を両立させるためには、以下のような課題があることを見出した。【０００７】
（Ａ）吸収能力についての課題
（ａ１）従来の紙おむつのほとんどが、理論値として、標準的な尿量を３回分吸収することができる吸収能力を有しているが、吸収体の一部分が集中的に尿の吸収を行うため、理論上の吸収能力より早く、尿漏れの限界に達してしまう。
（ａ２）従来の紙おむつでは、着用体位によって吸収体の利用部位の偏りが大きくなる。
（ａ３）従来の紙おむつでは、特に、クロッチ部分（股下部）の形状と吸収能力に起因するトラブルが多い。これは、クロッチ部分が局部に近接する部分であること、クロッチ部分が幅が最も狭くなる部分であること、及び、クロッチ部分が着用者の身体に密着させるために、絶えずフレキシブルに変形することを求められる部分であることに起因するものと推測された。【０００８】
（Ｂ）着用者の肌が長期間にわたり湿潤状態に曝されることによって生じる課題
（ｂ１）かぶれの発生は当然のこと、かぶれが潜在化している状態をも回避することができる対策が必要である。
（ｂ２）吸収体が吸収能力の限界まで尿を吸収し、それにより吸収体の表面の湿潤の程度が強くなっても、なお肌が濡れない工夫が必要である。つまり、従来のドライ対応のトップシートでは解決不能なレベルの表面戻り液量の発生に対する対策が必要である。
（ｂ３）吸収体の表面が湿潤状態となった場合において、着用者の肌との間で、摩擦力が発生するようなケースを回避することができる対策が必要である。【０００９】
そこで、本発明は、このような吸収能力についての課題及び着用者の肌が長期間にわたり湿潤状態に曝されることによって生じる課題を解決することができる吸収体物品を提供することを目的とする。
【課題を解決するための手段】
【００１０】
本発明者は、これらの課題を見出した上、更に鋭意研究した結果、吸収体（特に、クロッチ部位）に体液を直接移行させずに、体位に関係なく、前後に体液の移行及び分配をすることができる構成にすることにより、吸収体の全体をできるだけ均等に使用して吸収能力を十分に発揮することができること（上記（ａ１）の解消）、着用体位による体液の偏りの影響を少なくすることができること（上記（ａ２）の解消）、及び、吸収体の前端部付近及び後端部付近を効率的に利用してクロッチ部位には体液が流入しにくくすることができること（上記（ａ３）の解消）を見出し、更に、上記構成を、吸収体の表面と着用者の肌との間に、排出される体液の全量を受容し、一時的に貯留できる構造体を設けることにより実現することにより、吸収体の表面と着用者の肌とが常に非接触状態を保つようにすることができ、かぶれやその潜在化状態の回避（上記（ｂ１）の実現）、吸収体が吸収能力の限界まで尿を吸収した場合の肌濡れの回避（上記（ｂ２）の実現）、及び、（ｂ３）吸収体の表面と着用者の肌との間での摩擦力の発生の回避（上記（ｂ３）の実現）が可能であることを見出して、本発明を完成させた。【００１１】
すなわち、本発明は、以下の（１）〜（１９）を提供する。
（１）シート状の防漏体と、前記防漏体の上部に少なくとも一層配置された体液を吸収しうる吸収体とを有する吸収体物品本体と、
前記吸収体物品本体の長さ方向の前端部から、前身頃、股下部及び後身頃を経て、後端部にわたって配置され、前記吸収体物品本体と前記前端部及び前記後端部において結合する連結構造体と
を具備する吸収体物品であって、
前記連結構造体が、左右一対の帯状支持体と、左右の縁部がそれぞれ前記左右一対の帯状支持体と結合する連結シートとを有し、
前記連結シートが、前身頃、股下部及び後身頃において、前記帯状支持体の下側に前記吸収体に向かって垂下するように構成されて、前記連結シートの前記左右の縁部付近が側面、前記連結シートの左右方向の中央部付近が底面となる、体液受容キャナルが形成されており、
前記体液受容キャナルが、着用者から排出された体液の受容及び前記吸収体への移行を可能とする、吸収体物品。
（２）前記体液受容キャナルの底面を構成する前記連結シートの下面の一部と前記吸収体の表面とが結合している、上記（１）に記載の吸収体物品。
（３）前記連結シートの前記底面を構成する部分が、股下部において、前記吸収体の表面と結合していない部分を有する、上記（２）に記載の吸収体物品。
（４）前記連結シートの前記底面を構成する部分が、前後方向の少なくとも１箇所において、前記底面の左右方向の全幅にわたって前記吸収体の表面と結合していない部分を有する、上記（２）又は（３）に記載の吸収体物品。
（５）前記体液受容キャナルがその上部に開口を有する、上記（１）〜（４）のいずれかに記載の吸収体物品。
（６）前記帯状支持体が少なくともその一部に伸縮性を有する、上記（１）〜（５）のいずれかに記載の吸収体物品。
（７）前記体液受容キャナルを構成する前記連結シートに、着用者から排出された体液を前記吸収体に移行させるための出口となる切欠きが設けられている、上記（１）〜（６）のいずれかに記載の吸収体物品。
（８）前記体液受容キャナルを構成する前記連結シートに、着用者から排出された体液を前記吸収体に移行させるための出口となる開口が設けられている、上記（１）〜（７）のいずれかに記載の吸収体物品。
（９）前記体液受容キャナルを構成する前記連結シートに、着用者から排出された体液を前記吸収体に移行させるための出口となるスリットが設けられている、上記（１）〜（８）のいずれかに記載の吸収体物品。
（１０）前記連結シートの一部又は全部が疎水性の不織布により構成されている、上記（１）〜（９）のいずれかに記載の吸収体物品。
（１１）前記連結シートの一部又は全部が親水性の不織布により構成されている、上記（１）〜（９）のいずれかに記載の吸収体物品。
（１２）前記連結シートの一部又は全部が疎水性部分と親水性部分を併有する不織布により構成されている、上記（１）〜（９）のいずれかに記載の吸収体物品。
（１３）前記連結シートが液透過性の開孔フィルムにより構成されている、上記（１）〜（９）のいずれかに記載の吸収体物品。
（１４）前記連結構造体が、その前端及び前記前端から連なる左右両縁の部分において、前記吸収体物品本体と結合しており、前記連結構造体と前記吸収体物品本体とにより前部ポケットが形成されている、上記（１）〜（１３）のいずれかに記載の吸収体物品。
（１５）前記連結構造体が、その後端及び前記後端から連なる左右両縁の部分において、前記吸収体物品本体と結合しており、前記連結構造体と前記吸収体物品本体とにより後部ポケットが形成されている、上記（１）〜（１４）のいずれかに記載の吸収体物品。
（１６）前記体液受容キャナルの垂下度が、股下部から後身頃にかけて小さくなっていく、上記（１）〜（１５）のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
（１７）前記体液受容キャナルの垂下度が、股下部から前身頃にかけて小さくなっていく、上記（１）〜（１６）のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
（１８）更に、前記体液受容キャナルの左右方向の外側にインナーレッグギャザーが設けられている、上記（１）〜（１７）のいずれかに記載の吸収体物品。
（１９）更に、前記吸収体物品本体の左右縁部にアウターレッグギャザーが設けられている、上記（１）〜（１８）のいずれかに記載の吸収体物品。
【発明の効果】
【００１２】
本発明の吸収体物品は、吸収体の吸収能力を十分に発揮することができ、また、着用者の肌が長期間にわたり湿潤状態に曝されることがなく、かぶれの発生等の問題が抑制されている。
【図面の簡単な説明】
【００１３】
【図１】本発明の吸収体物品の例を示す模式図である。
【図２】吸収体物品に用いられる連結構造体を示す模式図である。
【図３】種々の連結構造体の例を示す模式的な横端面図である。
【図４】体液受容キャナルの種々の形成状態の模式的な説明図である。
【図５】体液受容キャナルの種々の形成状態の模式的な説明図である。
【図６】体液受容キャナルの種々の形成状態及び配置の模式的な説明図である。
【図７】種々の切欠きを設けた連結シートの例を示す模式的な平面図である。
【図８】種々の開口を設けた連結シートの例を示す模式的な平面図である。
【図９】種々のスリットを設けた連結シートの例を示す模式的な平面図である。
【図１０】種々の出口を設けた連結シートの例を示す模式的な平面図である。
【図１１】吸収体物品における帯状支持体の配置状態の例を示す模式的な説明図である。
【図１２】種々の帯状支持体の例を示す模式的な横端面図である。
【図１３】本発明の吸収体物品の実施態様の例を示す模式図である。
【図１４】連結構造体を示す模式図である。
【図１５】本発明の吸収体物品の実施態様の別の例を示す模式図である。
【図１６】本発明の吸収体物品の実施態様の更に別の例を示す模式図である。
【図１７】従来の吸収体物品の一例を示す模式図である。
【図１８】本発明の吸収体物品の実施態様の更に別の例を示す模式図である。
【図１９】本発明の吸収体物品の実施態様の更に別の例を示す模式図である。
【図２０】本発明の吸収体物品の実施態様の更に別の例を示す模式図である。
【図２１】比較例１の伏臥位での第１回排尿後の尿の吸収状態を示す模式的な平面図である。
【図２２】比較例１の仰臥位での第１回排尿後の尿の吸収状態を示す模式的な平面図である。
【図２３】実施例１の伏臥位での第１回排尿後の尿の吸収状態を示す模式的な平面図である。
【図２４】実施例１の仰臥位での第１回排尿後の尿の吸収状態を示す模式的な平面図である。
【図２５】実施例２の伏臥位での第１回排尿後の尿の吸収状態を示す模式的な平面図である。
【図２６】実施例２の仰臥位での第１回排尿後の尿の吸収状態を示す模式的な平面図である。
【図２７】実施例２の仰臥位での第２回排尿後の尿の吸収状態を示す模式的な平面図である。
【図２８】紙おむつのライフサイクルの説明図である。
【発明を実施するための形態】
【００１４】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。これに従い、吸収体物品がおむつである場合は、吸収体物品本体をおむつ本体と呼ぶ。
さらに、本明細書においては、「吸収体の表面」とは、吸収体が露出している場合は、その表面を意味し、吸収体が拡散シート、アクイジションシート、トップシート（サーフェスシート）等で被覆されている場合は、被覆している拡散シート、アクイジションシート、トップシート（サーフェスシート）等の表面を意味する。
【００１５】
図１は、本発明の吸収体物品の例を示す模式図である。図１（Ａ）は、テープ型おむつの態様である吸収体物品に応力を加えて前後方向及び左右方向に引っ張って展開し、ほぼ平面状にした状態を模式的に示した展開平面図である。図１（Ｂ）は、吸収体物品に応力を加えない場合の（弛緩状態の）図１（Ａ）中のＩＢ−ＩＢ線に沿った横端面図である。
図１（Ｃ）は、吸収体物品に応力を加えない場合の（弛緩状態の）斜視図である。
図１に示される本発明の吸収体物品１００は、テープ型おむつとして構成されており、基本的に、シート状の防漏体１０と、防漏体１０の上部に少なくとも一層配置された体液を吸収しうる吸収体１２とを有する吸収体物品本体と、前記吸収体物品本体の長さ方向の前端部から、前身頃Ｆ、股下部Ｃ及び後身頃Ｒを経て、後端部にわたって配置され、前記吸収体物品本体と前記前端部及び前記後端部において結合する連結構造体１４とを具備する。
【００１６】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、不織布ウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００１７】
防漏体１０は、複数の部材から構成されていてもよい。
【００１８】
防漏体１０は、シート状であり、吸収体１２等を上部に収納し、かつ、連結構造体１４を配置し得るものであれば、その形状を特に限定されない。
【００１９】
本発明に用いられる吸収体１２は、体液を吸収しうるものであれば特に限定されず、従来公知の吸収体物品に用いられる吸収体を用いることができる。例えば、粉砕された木材パルプ、粉砕された木材パルプと粒状又は粉体状のＳＡＰとを混合しマット状に成形した吸収体、薄いシート状に成形されたＳＡＰを主成分とするシート状吸収体等を用いることができる。これらの吸収体は、その形状を保持し、同時にパルプやＳＡＰから発生する微粉の発生や脱落を防ぐため、ティッシュペーパー、不織布、開孔フィルム等からなるコアラッピング材で被覆されているのが一般的である。本明細書においては、コアラッピング材が用いられている場合には、コアラッピング材も含めて「吸収体」と呼ぶ。
【００２０】
シート状吸収体は、形態安定性、ＳＡＰの脱落防止性能等に優れる。
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
【００２１】
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰ等が知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００２２】
吸収体１２は、防漏体１０の上部に、少なくとも１層配置される。すなわち、吸収体１２は、１層であってもよく、２層以上（複数層）であってもよい。
また、吸収体１２は、折りたたんだ状態で配置することもできる。
【００２３】
吸収体物品本体は、上述した防漏体１０と、吸収体１２とを有し、他の構成部材を有していてもよい。
【００２４】
連結構造体１４は、上記吸収体物品本体の長さ方向の前端部から、前身頃Ｆ、股下部Ｃ及び後身頃Ｒを経て、後端部にわたって配置される。連結構造体１４の前端部及び後端部は、それぞれ、吸収体物品本体の前端部及び後端部と、前端結合部２０及び後端結合部２２において、結合している。結合の方法は、特に限定されず、例えば、ホットメルト接着剤、熱シール接着等を用いて結合することができる。
【００２５】
連結構造体１４は、左右一対の帯状支持体１６と、左右の縁部がそれぞれ左右一対の帯状支持体１６と結合する連結シート１８とを有している。連結シート１８の左右の縁部の上面は、左右一対の帯状支持体１６の下側と、結合部２４において、結合している。
帯状支持体１６は、２本のポリウレタンフィラメントを並列させて不織布で上下を被覆することにより構成されている。これにより帯状支持体１６は、伸縮性及びクッション性を有している。
連結シート１８は、前身頃Ｆ、股下部Ｃ及び後身頃Ｒにおいて、図１（Ｂ）に示されるように、帯状支持体１６の下側に吸収体１２に向かって垂下するように構成されている。
【００２６】
連結シート１８は、図１（Ｂ）に示されるように、その左右の縁部付近が側面、その左右方向の中央部付近が底面となる、体液受容キャナルＣａを形成している。
【００２７】
吸収体物品１００においては、図１（Ｂ）に示されるように、体液受容キャナルＣａの底面を構成する連結シート１８の下面の一部と吸収体１２の表面とが結合部２６において結合している。
また、吸収体物品１００においては、図１（Ｂ）に示されるように、連結シート１８の体液受容キャナルＣａの底面を構成する部分が、股下部Ｃにおいて、吸収体１２の表面と結合していない部分を有する。これにより、体液受容キャナルＣａの形状が、着用者の動作等による吸収体１２の動きや変形による影響を受けにくくなる。したがって、連結シートの底面を構成する部分が、股下部において、吸収体の表面と結合していない部分を有するのは、本発明の好ましい態様の一つである。
さらに、吸収体物品１００においては、図１（Ａ）に示されるように、連結シート１８の底面を構成する部分が、前後方向の少なくとも１箇所において、底面の左右方向の全幅にわたって吸収体１２の表面と結合していない部分を有する。具体的には、結合部２６の前後の部分においては、連結シート１８の底面を構成する部分が、底面の左右方向の全幅にわたって吸収体１２の表面と結合していない。このように、連結シート１８が結合部２６の前後の位置に離間状態を保つ部分を有することによって、連結シート１８の前端部及び後端部に向かう底面が浮き上がり、底面の股下部Ｃ方向への傾斜を大きくすることができ、その結果、体液が吸収体物品本体の前端及び後端に到達する量を少なくして前端及び後端からの漏れを抑制することができる。したがって、連結シートの底面を構成する部分が、前後方向の少なくとも１箇所において、底面の左右方向の全幅にわたって吸収体の表面と結合していない部分を有するのは、本発明の好ましい態様の一つである。
【００２８】
結合部２６は、連結シート１８の左右方向の中央の位置で、前身頃Ｆの一部から、股下部Ｃを経て、後身頃Ｒの一部に至る線状に設けられている（図１（Ａ）参照）。連結シート１８の下面の一部と吸収体１２の表面とを結合する方法は、特に限定されず、例えば、ホットメルト接着剤、熱シール接着等を用いて結合することができる。
【００２９】
吸収体物品１００においては、体液受容キャナルＣａは、左右対称のＶ字型を呈しており、左右一対の帯状支持体１６の間は開放されて、開口を持つ構造となっている。
吸収体物品１００は、着用時においては、着用者の肌に直接接する部位が体液受容キャナルＣａの両縁に浮上状態で存在する帯状支持体１６の上面のみとなり、尿排出器も肛門も、左右一対の帯状支持体１６の間の開口に収容される。
したがって、着用者が尿を排出すると、排出された尿はその全量が、まずこの体液受容キャナルＣａ内に収容され、尿が吸収体１２の表面に直接排出されることはない。
体液受容キャナルＣａ内に貯留された尿は、その後、体液の出口から吸収体１２の表面に分配して、供給される。
吸収体物品１００においては、体液受容キャナルＣａにおいて、出口が明示されていないが、連結シート１８が親水性の不織布により構成され、液透過性となっており、この不織布の有する多数の細孔が体液の出口となっている。よって、体液受容キャナルＣａ内に貯留された尿は、その後、多数の細孔を通じて、吸収体１２の表面に分配して、供給される。
親水性の不織布としては、例えば、ＰＥ／ＰＰ製のスパンボンド不織布（例えば、チッソ社製、目付量１５ｇ／ｍ2）を親水化処理剤により処理して液透過性を付与したものを用いることができる。
このように、連結シートの一部又は全部が親水性の不織布により構成されているのは、本発明の好適な態様の一つである。
【００３０】
上述したように、体液受容キャナルＣａは、着用者から排出された体液の受容及び吸収体１２への移行を可能とする。また、体液は、体液受容キャナルＣａ内を移動し、体液受容キャナルＣａの出口を通じて吸収体１２に分配される。
【００３１】
吸収体物品１００の着用時においては、尿の１回目の排出のみならず、２回目以降の排出についても、排出された尿は全量がまず体液受容キャナルＣａ内に収容され、直接吸収体１２の表面に排出されることはない。
したがって、着用開始時から着用終了時まで、体液受容キャナルＣａがバリヤーとなり、着用者の肌が吸収体１２の表面に接触して肌を濡らす状態とはならない。
【００３２】
吸収体物品１００においては、排出された体液は、体液受容キャナルＣａにより全量が受容され、一時的に貯留された後、連結シート１８が全面的に液透過性を有しているので、連結シート１８の比較的広い領域から滲み出して吸収体１２の表面に供給される。この際、着用体位、排出速度、排出量等の影響を受けるが、吸収体１２の比較的広い範囲の部分を利用することができ、股下部Ｃの部分に対する負荷は大幅に抑制される。
【００３３】
なお、着用者が便を排出した場合には、便中の液成分は連結シート１８の細孔から吸収体１２の表面に移行するが、固形成分は全量体液受容キャナルＣａ内にとどまる。
【００３４】
図１（Ｃ）に示されるように、吸収体物品１００における体液受容キャナルＣａは、股下部Ｃにおいては、左右方向の幅が狭く、かつ、上下方向の深さが深くなっており、股下部Ｃから前身頃Ｆ及び後身頃Ｒのそれぞれにかけて、徐々に左右方向の幅が広く、上下方向の深さが浅くなるように形成されている。
【００３５】
本発明においては、上記構成に限定されず、例えば、従来公知の各種部材を具備することができる。
吸収体物品１００は、上記の各部材に加え、以下に説明する各種部材を具備する。
【００３６】
防漏体１０の後端付近の左右両側には、着脱部材２８が設けられている。防漏体１０の前端付近の下面には、着脱部材と互いに着脱自在となるように、着脱部材（図示せず）が設けられている。これらの着脱部材は、例えば、各種面ファスナーにより構成することができる。具体的には、防漏体１０の後端付近の左右両側に設けられる着脱部材２８として、ベルクロテープ（雄）、防漏体１０の前端付近の下面に設けられる着脱部材として、ＴＬＺ（雌）を用いることができる。
【００３７】
また、吸収体物品１００は、吸収体物品本体の左右縁部に、アウターレッグギャザー（ＯＬＧ）３０を具備する。ＯＬＧ３０は、並列した３本のポリウレタンフィラメント（伸縮性部材）が、防漏体１０とトップシート３２との間に配置されることにより形成されている。トップシート３２は、特に限定されず、従来公知のものを用いることができる。
本発明の吸収体物品においては、インナーレッグギャザー（ＩＬＧ）を、体液受容キャナルＣａの左右方向の外側に具備していてもよい。本発明の吸収体物品においては、ＯＬＧとＩＬＧとを両方とも具備していてもよい。ＩＬＧは、左右一対の頭部と脚部とを有するギャザーであり、脚部が、吸収体の表面の左右両縁又は吸収体物品本体の左右両縁に結合して存在するものであり、スタンディングレッグギャザー（ＳＬＧ）とも称される。
【００３８】
本発明の吸収体物品に用いられる連結構造体について、より詳細に説明する。
図２は、吸収体物品１００に用いられる連結構造体１４を示す模式図である。図２（Ａ）は平面図であり、図２（Ｂ）は横端面図である。
連結構造体１４は、帯状支持体１６と連結シート１８とを有している。連結構造体１４は、例えば、連結シート１８の左右両縁を帯状支持体１６に結合させて得ることができる。結合の方法は、特に限定されず、例えば、ホットメルト接着剤、熱シール接着等を用いて結合することができる。
吸収体物品１００においては、図２に示される連結構造体１４が、体液受容キャナルＣａが形成されるように設けられている（図１参照）。
【００３９】
以下、まず連結シートについて説明する。
連結シートは、材料を特に限定されないが、例えば、ＰＥ、ＰＰ、ＰＥＴ、ポリウレタン、ＳＢＲ系ゴム、ＰＶＡ、ＥＶＡ等の合成樹脂のフィルム、開孔シート及びネット状シート；ＰＥ繊維、ＰＰ繊維、ＰＥＴ繊維、ＰＥ／ＰＰ複合繊維、ＰＥ／ＰＥＴ複合繊維等の合成繊維を構成成分とする乾式不織布、湿式不織布、スパンボンド不織布、スパンボンド／メルトブローン／スパンボンド積層体に代表されるスパンメルト不織布；木材パルプ、コットン、レーヨン、リヨセル、アセテート等のセルロース類を主成分とする親水性繊維を構成成分とする乾式不織布、湿式不織布及びスパンボンド不織布が好適に挙げられる。
連結シートは、目付量５〜５０ｇ／ｍ2程度であるのが好ましく、また、柔軟性のある比較的厚さが薄いシートであるのが好ましい。
【００４０】
図３は、種々の連結構造体の例を示す模式的な横端面図である。
図３（Ａ）に示される連結構造体１４ａは、帯状支持体１６ａと連結シート１８ａとが結合部２４ａにおいて結合することにより構成されている。
帯状支持体１６ａは、図２に示される連結構造体１４における帯状支持体１６と同様のものを用いることができる。図３（Ｂ）〜図３（Ｇ）における各帯状支持体１６ａについても同様である。
連結シート１８ａは、単層であり、材料は特に限定されず、上述した材料により構成することができる。この態様の連結シートは、構造が簡単で、製造工程が簡易になるという利点がある。なお、連結シートとして、疎水性の不織布（例えば、ＰＥ／ＰＰ系のスパンボンド不織布）の一部（例えば、中央部のみ）に、親水化処理（例えば、界面活性剤による処理）を施したものを用いることもできる。
【００４１】
図３（Ｂ）に示される連結構造体１４ｂは、左右一対の帯状支持体１６ａと連結シート１８ｂとが結合部２４ａにおいて結合することにより構成されている。連結シート１８ｂは、左右２枚の疎水性シート１８ｂ’と左右方向の中央の親水性シート１８ｂ”とが結合部２４ｂにおいて結合することにより構成されている。この態様の連結シートは、製造工程が図３（Ａ）に示される連結シート１８ａと比べて若干複雑であるが、種々の疎水性シートと種々の親水性シートとの組合せにより、多様な性能を発現することができるという利点がある。
【００４２】
図３（Ｃ）に示される連結構造体１４ｃは、左右一対の帯状支持体１６ａと連結シート１８ｃとが結合部２４ａにおいて結合することにより構成されている。連結シート１８ｃは、疎水性シート１８ｃ’の上面の左右方向の中央に、親水性シート１８ｃ”が配置され、結合部２４ｃにおいて結合することにより構成されている。連結シート１８ｃは、中央部においては、二重構造を有している。この態様の連結シートは、図３（Ｂ）に示される連結シート１８ｂと比べて、材料コストが高くなるが、製造工程が簡易であるという利点がある。
【００４３】
図３（Ｄ）に示される連結構造体１４ｄは、左右一対の帯状支持体１６ａと連結シート１８ｄとが結合部２４ａにおいて結合することにより構成されている。連結シート１８ｄは、親水性シート１８ｄ’の下面の左右方向の中央に、疎水性シート１８ｄ”が配置され、結合部２４ｄにおいて結合することにより構成されている。連結シート１８ｄは、中央部においては、二重構造を有している。この態様の連結シートは、図３（Ｂ）に示される連結シート１８ｂと比べて、材料コストが高くなるが、製造工程が簡易であるという利点がある。
【００４４】
図３（Ｅ）に示される連結構造体１４ｅは、左右一対の帯状支持体１６ａと連結シート１８ｅとが、連結シート１８ｅの左右両縁が上側において内側に折り返された状態で、結合部２４ａにおいて結合することにより構成されている。この態様の連結シート（折り返し連結シート）は、左右方向の幅を広くすることができるため、体液受容キャナルＣａの容積を大きくすることができ、体液の貯留能力を大きくすることができるという利点がある。
【００４５】
図３（Ｆ）に示される連結構造体１４ｆは、左右一対の帯状支持体１６ａと連結シート１８ｆとが、連結シート１８ｆの左右両縁が上側において内側に折り返され、更に外側に折り返された状態で、結合部２４ａにおいて結合することにより構成されている。この態様の連結シート（折り畳み連結シート）は、左右方向の幅を更に広くすることができるため、体液受容キャナルＣａの容積を更に大きくすることができ、体液の貯留能力を更に大きくすることができるという利点がある。
【００４６】
図３（Ｇ）に示される連結構造体１４ｇは、左右一対の帯状支持体１６ａと連結シート１８ｇとが、連結シート１８ｇの左右両縁が左右一対の帯状支持体１６ａを上側においてそれぞれ包み込むことにより一体化されて構成されている。この態様の連結シートは、帯状支持体が連結シートによって被覆されているため、帯状支持体の表面に凹凸があったり、硬さがあったりしても、連結シートの柔らかさや滑らかさによって、着用者の感触を改良することができる。また、結合のための接着剤の使用量を軽減することができる。
【００４７】
連結シートの一部又は全部が疎水性の不織布により構成されている態様、連結シートの一部又は全部が親水性の不織布により構成されている態様、及び、連結シートの一部又は全部が疎水性部分と親水性部分を併有する不織布により構成されている態様は、いずれも本発明の好適な態様である。
【００４８】
つぎに、体液受容キャナルＣａの形成状態について説明する。
吸収体物品１００における体液受容キャナルＣａは、上述したように、前後方向の位置によって、左右方向の幅及び上下方向の深さが異なっている。
これは、連結シート１８は、その自重で帯状支持体１６から垂下するのであるが、その垂下の程度は、左右方向の幅が狭いほど大きくなり、また、左右方向においては帯状支持体１６から最も離れた中央の位置において大きくなっている。帯状支持体１６の左右方向の幅を強制的に狭くしたり、連結シート１８に応力を加えると、垂下の程度を更に大きくすることができる。
【００４９】
図４は、体液受容キャナルの種々の形成状態の模式的な説明図である。図４においては、連結構造体及び吸収体のみを横端面図で示しており、その他の部材は省略してある。
図４（Ａ）〜図４（Ｃ）に示される各連結構造体１４ａは、図３（Ａ）に示されるものである。
連結シート１８ａは、帯状支持体１６ａの下側に吸収体１２ａに向かって垂下するように構成されて、連結シート１８ａの左右の縁部付近が側面、連結シート１８ａの左右方向の中央部付近が底面となる、体液受容キャナルＣａが形成されている。
【００５０】
本発明においては、連結シートの垂下の程度は、左右一対の帯状支持体の内側の間隔ｗに対する帯状支持体の上面を結ぶ面と連結シートの底面との距離ｈの比である垂下度ｈ／ｗで表される。
図４（Ａ）においては、体液受容キャナルＣａの底面を構成する連結シート１８ａの下面は、吸収体１２ａとは結合せずに、離間している。
図４（Ａ）に示される体液受容キャナルＣａは、応力を掛けない弛緩状態において、深さが浅くなっており、連結シート１８ａの垂下度（ｈ0／ｗ0）が０．１〜０．４程度である。
【００５１】
図４（Ｂ）においては、体液受容キャナルＣａの底面を構成する連結シート１８ａの下面が、吸収体１２ａと左右２箇所の結合部２６ａにおいて結合し、固定されており、これにより底面の左右方向の幅が広い体液受容キャナルＣａが形成されている。体液受容キャナルＣａの内面は、Ｕ字型となっている。連結シート１８ａの垂下度（ｈ1／ｗ1）は、０．３〜０．８程度である。
このように、連結シートの下面を吸収体の表面と結合させて固定することにより、結合させない場合に比べて、垂下度を大きくすることができる。
【００５２】
図４（Ｃ）においては、体液受容キャナルＣａの底面を構成する連結シート１８ａの下面が、吸収体１２ａと左右方向の中央の結合部２６ｂにおいて結合し、固定されており、これにより左右方向の幅は狭いが、上下方向の深さが深い体液受容キャナルＣａが形成されている。体液受容キャナルＣａの内面は、Ｖ字型となっている。連結シート１８ａの垂下度（ｈ2／ｗ2）は、最大で１．５〜２．０程度である。
【００５３】
垂下度は、上述したように、体液受容キャナルＣａの深さの指標であるとともに、連結構造体の両縁に存在する帯状支持体がどの程度吸収体の表面から浮き上がっているかの指標でもある。すなわち、垂下度が大きくなると、帯状支持体と吸収体の表面との離間距離が大きくなり、それに伴い、着用者の肌の表面と吸収体の表面との間の離間距離が大きくなり、バリヤー効果（着用者の肌と吸収体の表面との接触を防止する効果）も大きくなる。
【００５４】
本発明においては、垂下度ｈ／ｗが、股下部Ｃから後身頃Ｒにかけて小さくなっていくのが好ましい態様の一つである。この態様においては、体液受容キャナルＣａが股下部Ｃにおいては狭く深いが、後身頃Ｒにおいては広く浅くなっているため、体液受容キャナルＣａへの便の受容が円滑に行われる。
また、本発明においては、垂下度ｈ／ｗが、股下部Ｃから前身頃Ｆにかけて小さくなっていくのが好ましい態様の一つである。この態様においては、体液受容キャナルＣａが股下部Ｃにおいては狭く深いが、前身頃Ｆにおいては広く浅くなっているため、体液受容キャナルＣａにおける尿排出器の存在位置を適切な状態としやすい。
【００５５】
このような体液受容キャナルＣａの形成状態は、一つの吸収体物品において、単独で用いることもできるし、複数の形成状態を用いることもできる。
例えば、３種類の形成状態を用いて、前身頃Ｆの前端部付近及び後身頃Ｒの後端部付近の位置においては、図４（Ａ）に示される浮上状態とし、股下部Ｃの前後付近の前身頃Ｆ及び後身頃Ｒの位置（尿排出器付近及び便排出器（肛門）付近）においては、図４（Ｂ）に示される幅広の底面を有する状態とし、再狭窄部位である股下部Ｃにおいては、図４（Ｃ）に示される、幅が狭く、深さが深いＶ字型の内面を持ち、帯状支持体１６ａの吸収体１２ａの表面からの離間の程度が大きい状態とすることができる。
また、２種類の形成状態を用いることができる。具体的には、図４（Ａ）に示される状態と図４（Ｂ）に示される状態との組合せ、図４（Ａ）に示される状態と図４（Ｃ）に示される状態との組合せ、及び、図４（Ｂ）に示される状態と図４（Ｃ）に示される状態との組合せが挙げられる。
【００５６】
図５は、体液受容キャナルの種々の形成状態の模式的な説明図である。図５においては、連結シートのみを横端面図で示しており、その他の部材は省略してある。
図５（Ａ）〜図５（Ｄ）は、いずれも基本的な体液受容キャナルの態様を示す。
図５（Ａ）に示される連結シートは、図４（Ｂ）に示されるのと同様に、Ｕ字型の体液受容キャナルを形成している。
図５（Ｂ）に示される連結シートは、図４（Ｃ）に示されるのと同様に、Ｖ字型の体液受容キャナルを形成している。
図５（Ｃ）に示される連結シートは、底面の幅が広く、上に向かって狭くなっているＵ字型（底広Ｕ字型）の体液受容キャナルを形成している。
図５（Ｄ）に示される連結シートは、底面の幅が狭く、上に向かって広くなっているＵ字型（底狭Ｕ字型）の体液受容キャナルを形成している。
【００５７】
図５（Ｅ）〜図５（Ｊ）は、いずれも上記の基本的な体液受容キャナルの態様の組合せを示す。
図５（Ｅ）に示される連結シートは、Ｖ字型の部分とＵ字型の部分とを併有する体液受容キャナルを形成している。
図５（Ｆ）に示される連結シートは、Ｖ字型の部分と底広Ｕ字型の部分とを併有する体液受容キャナルを形成している。
図５（Ｇ）に示される連結シートは、Ｖ字型の部分と底狭Ｕ字型の部分とを併有する体液受容キャナルを形成している。
図５（Ｈ）に示される連結シートは、Ｕ字型の部分と底広Ｕ字型の部分とを併有する体液受容キャナルを形成している。
図５（Ｉ）に示される連結シートは、Ｕ字型の部分と底狭Ｕ字型の部分とを併有する体液受容キャナルを形成している。
図５（Ｊ）に示される連結シートは、底広Ｕ字型の部分と底狭Ｕ字型の部分とを併有する体液受容キャナルを形成している。
【００５８】
これらは体液受容キャナルの態様の好適例であり、おむつのサイズや、パンツ型かテープ型かの違いにより、適宜選択される。
また、本発明においては、上記以外の態様や組合せを用いることもできる。
【００５９】
図６は、体液受容キャナルの種々の形成状態及び配置の模式的な説明図である。図６においては、連結シート及び吸収体のみを示しており、その他の部材は省略してある。
図６（Ａ）は、体液受容キャナルを形成する連結シートの例を示す平面図であり、図６（Ｂ）は、図６（Ａ）中のＶＩＢ−ＶＩＢ線に沿った横端面図である。
図６（Ａ）及び図６（Ｂ）に示される連結シート１９は、その幅方向の中央において、前後方向に線状に延在する結合部２７によって、吸収体１３の表面に結合し、固定されている。
連結シート１９は、前身頃Ｆから股下部Ｃを経て後身頃Ｒに至るまでの領域で、Ｖ字型の体液受容キャナルＣａを形成している。すなわち、連結シート１９は、結合部２７の存在する領域においては、図４（Ｃ）に示される形状を呈する一方、結合部２７の存在しない前端部及び後端部においては、図４（Ａ）に示される形状を呈している。このように、連結シート１９は、二つの形状が連なる体液受容キャナルＣａを形成している。
この態様の体液受容キャナルは、深く形成しやすく、バリヤー効果が大きくなるとともに、製造も簡易である。
【００６０】
図６（Ｃ）は、体液受容キャナルを形成する連結シートの別の例を示す平面図であり、図６（Ｄ）は、図６（Ｃ）中のＶＩＤ−ＶＩＤ線に沿った横端面図であり、図６（Ｅ）は、図６（Ｃ）中のＶＩＥ−ＶＩＥ線に沿った横端面図である。
図６（Ｃ）〜図６（Ｅ）に示される連結シート１９ａは、前身頃Ｆ及び後身頃Ｒの幅方向の中央において、それぞれ前後方向に帯状に延在する結合部２７ａによって、吸収体１３の表面に結合し、固定されており、股下部Ｃにおいては、吸収体１３の表面と結合していない。
連結シート１９ａは、前身頃Ｆ及び後身頃Ｒにおいては、それぞれ図６（Ｄ）に示されるように、Ｖ字型の体液受容キャナルＣａを形成しており、また、股下部Ｃにおいては、この体液受容キャナルＣａが、図６（Ｅ）に示されるように、吸収体１３の表面から浮き上がり、深さが浅くなっている。すなわち、連結シート１９ａは、三つの部分からなる体液受容キャナルＣａを形成している。
この態様の体液受容キャナルは、股下部Ｃにおける体液の移動が起こりやすいため、体液の前部及び後部への移行を多くすることができる。
【００６１】
図６（Ｆ）は、体液受容キャナルを形成する連結シートの更に別の例を示す平面図であり、図６（Ｇ）は、図６（Ｆ）中のＶＩＧ−ＶＩＧ線に沿った横端面図であり、図６（Ｈ）は、図６（Ｆ）中のＶＩＨ−ＶＩＨ線に沿った横端面図である。
図６（Ｆ）〜図６（Ｈ）に示される連結シート１９ｂは、前身頃Ｆ及び後身頃Ｒの幅方向の中央において、それぞれ前後方向に線状に延在する結合部２７ｂによって、吸収体１３の表面に結合し、固定されており、股下部Ｃにおいては、その左右両側に線状に延在する結合部２７ｂ’によって、吸収体１３の表面に結合し、固定されている。
連結シート１９ｂは、前身頃Ｆ及び後身頃Ｒにおいては、それぞれ図６（Ｇ）に示されるように、Ｖ字型の体液受容キャナルＣａを形成しており、また、股下部Ｃにおいては、この体液受容キャナルＣａが、図６（Ｈ）に示されるように、底広Ｕ字型となっている。すなわち、連結シート１９ｂは、三つの部分からなる体液受容キャナルＣａを形成している。
この態様の体液受容キャナルは、着用時に尿排出器が位置する部分である前部の上部開口を、相対的に拡げる効果を奏する。
【００６２】
図６（Ｉ）は、体液受容キャナルを形成する連結シートの更に別の例を示す平面図であり、図６（Ｊ）は、図６（Ｉ）中のＶＩＪ−ＶＩＪ線に沿った横端面図であり、図６（Ｋ）は、図６（Ｉ）中のＶＩＫ−ＶＩＫ線に沿った横端面図であり、図６（Ｌ）は、図６（Ｉ）中のＶＩＬ−ＶＩＬ線に沿った横端面図である。
図６（Ｉ）〜図６（Ｌ）に示される連結シート１９ｃは、前身頃Ｆ及び後身頃Ｒの幅方向の中央において、その左右両側に線状に延在する結合部２７ｃによって、吸収体１３の表面に結合し、固定されており、股下部Ｃから前身頃Ｆの後部付近の幅方向の中央において、前後方向に線状に延在する結合部２７ｃ’によって、吸収体１３の表面に結合し、固定されている。
連結シート１９ｃは、前身頃Ｆの後部付近においては、図６（Ｊ）に示されるように、その下面の３箇所で吸収体１３の表面と結合し、底広Ｕ字型の体液受容キャナルＣａを形成しており、股下部Ｃにおいては、この体液受容キャナルＣａが、図６（Ｋ）に示されるように、Ｖ字型となっており、また、前身頃Ｆの後部付近以外の部分及び後身頃Ｒにおいては、それぞれ図６（Ｌ）に示されるように、Ｕ字型となっている。すなわち、連結シート１９ｃは、四つの部分からなる体液受容キャナルＣａを形成している。
この態様の体液受容キャナルは、着用時に尿排出器が位置する部分である前部の上部開口と、着用時に便排出器（肛門）が位置する部分である後部の上部開口とを、それぞれ相対的に拡げる効果を奏する。
【００６３】
なお、図６は、上述したように、模式図であり、実際の吸収体物品における体液受容キャナルは、連結シートの底面と吸収体の表面との結合部の位置等が同一であっても、前後方向の存在位置、帯状支持体の伸縮度等による応力の影響等によって容易に変形することがある。
例えば、連結構造体が前後方向の応力を受けると、縮んだ状態の帯状支持体が前後方向に伸び、これにより体液受容キャナルの開口（左右一対の帯状支持体の間隔）が左右方向に広くなり、Ｖ字型の態様であれば、広く開く形状になる。逆に、連結構造体が前後方向の応力を受けないと、縮んだ状態の帯状支持体により体液受容キャナルの開口（左右一対の帯状支持体の間隔）が左右方向に狭くなり、Ｖ字型の態様であれば、狭く閉じる形状になる。
【００６４】
体液受容キャナルＣａは、着用者から排出された体液の受容及び吸収体への移行を可能とするという機能を奏するが、その構造は特に限定されない。
例えば、第１に、全体が液透過性である連結シートを用いる態様が挙げられる。具体的には、例えば、親水性材料（例えば、セルロース系の不織布）により連結シートを構成する態様（例えば、上述した吸収体物品１００における連結シート１８）、疎水性の不織布（例えば、スパンメルト不織布）を親水化処理して液透過性を付与したものにより連結シートを構成する態様、物理的な液透過性を有する材料（例えば、開孔ＰＥフィルム等の液透過性の開孔フィルム）により連結シートを構成する態様が挙げられる。
【００６５】
第２に、一部が液透過性である連結シートを用いる態様が挙げられる。具体的には、例えば、親水性材料（例えば、セルロース系の不織布）により連結シートの一部（例えば、連結シートの底面を構成する部分、着用者の股下部に相当する部分）を構成する態様、疎水性の不織布（例えば、スパンメルト不織布）を親水化処理して液透過性を付与したものにより連結シートの一部（例えば、連結シートの底面を構成する部分、着用者の股下部に相当する部分）を構成する態様が挙げられる。
【００６６】
第３に、体液の移行を可能とする出口を設けた連結シートを用いる態様が挙げられる。体液の移行を可能とする出口としては、例えば、切欠き、開口、スリットが挙げられる。これらは単独で用いてもよく、２種以上を併用してもよい。
切欠きは、形状、大きさ、位置、個数等を限定されない。
開口は、形状、大きさ、位置、個数等を限定されない。開口の形状としては、例えば、円形状、三角形状、四角形状、星形状、不定形状が挙げられる。これらは適宜組み合わせて用いることができる。
なお、本発明においては、切欠きと開口とは本質的に同じであるが、大きさの比較的大きいものを切欠きとして、大きさの比較的小さいもの（１箇所に複数設けることが好ましいもの）を開口として扱う。
スリットは、形状、大きさ、位置、個数等を限定されない。スリットの形状としては、例えば、直線状、弧状、Ｃ字型曲線状が挙げられる。スリットの位置としては、例えば、幅方向、斜め方向、前後方向が挙げられる。これらは適宜組み合わせて用いることができる。
【００６７】
図７は、種々の切欠きを設けた連結シートの例を示す模式的な平面図である。
図７（Ａ）に示される連結シート１９ｄは、前身頃Ｆから後身頃Ｒにわたって、大きな切欠き３４を１個設けられている。
図７（Ｂ）に示される連結シート１９ｅは、前身頃Ｆにほぼ長方形状の切欠き３４ａ、股下部Ｃの後端付近から後身頃Ｒにかけてほぼ長方形状の切欠き３４ｂを、それぞれ設けられている。このように２個以上の切欠きを設ける場合、形状や大きさが同一であってもよく、異なっていてもよい。連結シート１９ｅにおいては、切欠き３４ａと切欠き３４ｂとでは、形状及び大きさが異なっている。
【００６８】
図８は、種々の開口を設けた連結シートの例を示す模式的な平面図である。
図８（Ａ）に示される連結シート１９ｆは、多数の同一の形状（ここでは、円形）及び大きさの開口３６を設けられている。前身頃Ｆ及び後身頃Ｒには開口が多く配置され、股下部Ｃには開口が少なく配置されている。これにより、体液受容キャナルが受容した体液が、主に、前身頃Ｆ及び後身頃Ｒから、吸収体に移行するようになっている。
図８（Ｂ）に示される連結シート１９ｇは、多数の同一の形状（ここでは、円形）、かつ、異なる大きさの開口３６ａを設けられている。前身頃Ｆ及び後身頃Ｒには大きな開口が配置され、股下部Ｃには小さな開口が配置されている。これにより、体液受容キャナルが受容した体液が、主に、前身頃Ｆ及び後身頃Ｒから、吸収体に移行するようになっている。
図８（Ｃ）に示される連結シート１９ｈは、多数の同一の形状（ここでは、円形）、かつ、異なる大きさの開口３６ｂを設けられている。前身頃Ｆ及び後身頃Ｒには大きな開口及び多数の小さな開口が配置され、股下部Ｃには少数の小さな開口が配置されている。これにより、体液受容キャナルが受容した体液が、主に、前身頃Ｆ及び後身頃Ｒから、吸収体に移行するようになっている。
【００６９】
図９は、種々のスリットを設けた連結シートの例を示す模式的な平面図である。
図９（Ａ）に示される連結シート１９ｉは、股下部Ｃの後端付近から後身頃Ｒに至る領域において、左右方向の中央に、前後方向に延在する直線状のスリット３８を設けられている。
図９（Ｂ）に示される連結シート１９ｊは、前身頃Ｆ及び後身頃Ｒにおいて、それぞれ左右方向に延在するＣ字型曲線状のスリット３８ａを１個ずつ設けられている。
図９（Ｃ）に示される連結シート１９ｋは、前身頃Ｆ及び後身頃Ｒにおいて、それぞれ左右方向に延在するＣ字型曲線状のスリット３８ｂを１個ずつ設けられ、股下部Ｃの前身頃Ｆ付近及び後身頃Ｒ付近に、それぞれ左右方向に延在するＣ字型曲線状のスリット３８ｂを１個ずつ設けられている。複数のスリット３８ｂは大きさが異なっている。
図９（Ｄ）に示される連結シート１９ｌは、前身頃Ｆにおいて、左右方向に延在する複数の直線状のスリット３８ｃを設けられ、股下部Ｃから後身頃Ｒにかけての領域において、左右方向に延在する複数の直線状のスリット３８ｃを設けられている。複数のスリット３８ｃは大きさが異なっている。
図９（Ｅ）に示される連結シート１９ｍは、前身頃Ｆにおいて、前後方向に延在する複数の直線状のスリット３８ｄを設けられ、股下部Ｃから後身頃Ｒにかけての領域において、前後方向に延在する複数の直線状のスリット３８ｄを設けられている。複数のスリット３８ｄは大きさが異なっている。
図９（Ｆ）に示される連結シート１９ｎは、前身頃Ｆにおいて、前後方向に延在する複数の直線状のスリット３８ｅ及び左右方向に延在するＣ字型曲線状のスリット３８ｅを設けられ、股下部Ｃから後身頃Ｒにかけての領域において、前後方向に延在する複数の直線状のスリット３８ｅを設けられている。複数のスリット３８ｅは大きさが異なっている。
【００７０】
図１０は、種々の出口を設けた連結シートの例を示す模式的な平面図である。
図１０（Ａ）に示される連結シート１９ｏは、前身頃Ｆにおいて、左右方向に延在するＣ字型曲線状のスリット３８ｆを設けられ、前身頃Ｆの後端付近から股下部Ｃの前端付近に至る領域において、左右方向の中央に、前後方向に延在する直線状のスリット３８ｆを設けられ、股下部Ｃの後端付近から後身頃Ｒに至る領域において、ほぼ長方形状の切欠き３４ｃを設けられている。
図１０（Ｂ）に示される連結シート１９ｐは、前身頃Ｆ及び後身頃Ｒにおいて、三日月状の切欠き３４ｄをそれぞれ設けられ、前身頃Ｆから股下部Ｃに至る領域及び股下部Ｃから後身頃Ｒに至る領域において、多数の同一の形状（ここでは、円形）及び大きさの開口３６ｃをそれぞれ設けられている。
【００７１】
このように、体液受容キャナルを形成する連結シート部に、切欠き、開口及びスリットからなる群から選ばれる少なくとも一つを設けるのが好ましい。これにより、体液受容キャナルの特定の部分から体液を集中的に排出することができる。連結シートが液透過性の材料により構成されている場合においても、切欠き、開口及びスリットからなる群から選ばれる少なくとも一つを有するのは好適な態様の一つである。
【００７２】
上述した吸収体物品１００における連結シート１８のように、切欠き、開口及びスリットからなる群から選ばれる少なくとも一つを有していなくても、吸収体の比較的広い範囲の部分を利用することができるが、これらを有している場合には、その効果がより一層顕著になる。
例えば、尿が吸収体の前身頃に存在する部分に集中しやすい伏臥位の体位を取り続けても、尿が股下部を超えて吸収体の後身頃に存在する部分に集中しやすい仰臥位の体位を取り続けても、尿が吸収体の左右のいずれか一方に集中しやすい横臥位の体位を取り続けても、尿が股下部に集中的に吸収されることがなく、前身頃及び後身頃の全域の吸収体に効率的に吸収されるようにすることができる。
特に、体液の吸収当初において、股下部を回避して、吸収体の前身頃及び後身頃に、左右均等に体液を分配することが可能になると、吸収体の全面積を、しかも、吸収体の有する吸収能力の限界まで利用することが可能となる。
【００７３】
つぎに、帯状支持体について説明する。
帯状支持体は、少なくともその一部に伸縮性を有するのが好ましい。帯状支持体は、その上側の表面が常に着用者の肌に接触し、また、着用者が様々な動きをしても常に隙間なくフィットしているようにするのが好ましいためである。
中でも、帯状支持体が、伸縮弾性材料を用いて構成されているのが好ましい。これにより、帯状支持体が、伸縮性及びクッション性を奏することができ、凹凸を持ち、伸び縮みする着用者の肌に対するフィット性が高くなる。
伸縮弾性材料としては、例えば、従来のおむつ等の吸収体物品に、ギャザー材料として使用されている材料を用いることができる。具体的には、例えば、ポリウレタンフィラメント、糸ゴム、合成ゴムフィルム、伸縮性発泡シートが挙げられる。
【００７４】
帯状支持体は、好ましくは、上述した伸縮弾性材料を不織布で被覆して得られる。
不織布は、表面がソフトで滑らかであり、皮膚刺激が少ないものが好ましい。例えば、ＰＥ繊維、ＰＰ繊維、ＰＥＴ繊維、ＰＥ／ＰＰ複合繊維、ＰＥ／ＰＥＴ複合繊維等の合成繊維を主体にして構成される乾式不織布やスパンメルト不織布が好ましい。不織布に用いられる繊維は、繊度が比較的小さいのが好ましく、具体的には、５デニール以下であるのが好ましい。不織布は、目付量が比較的小さいのが好ましく、具体的には、５〜３０ｇ／ｍ2であるのが好ましい。
【００７５】
図１１は、吸収体物品における帯状支持体の配置状態の例を示す模式的な説明図である。
図１１に示される吸収体物品１０１は、帯状支持体の配置状態を説明するために、図１に示される吸収体物品１００を簡略化したものであり、防漏体１０’、吸収体１２’、連結構造体１４’、帯状支持体１６’及び連結シート１８’は、それぞれ防漏体１０、吸収体１２、連結構造体１４、帯状支持体１６及び連結シート１８’と同様である。
帯状支持体１６’は、前身頃Ｆの中央から後身頃Ｒの中央にかけて存在する伸縮性領域ＳＡと、前身頃Ｆの中央より前及び後身頃Ｒの中央より後に存在する非伸縮性領域ＮＡとを有する。
帯状支持体１６’は、伸縮性領域ＳＡにおいては、伸縮性材料とそれを被覆する不織布とにより構成され、非伸縮性領域ＮＡにおいては、不織布により構成されている（図１参照）。
【００７６】
図１２は、種々の帯状支持体の例を示す模式的な横端面図である。図１２（Ｃ）〜図１２（Ｆ）においては、伸縮弾性材料のみを示し、その他は省略した。
図１２（Ａ）に示される帯状支持体１７は、伸縮弾性材料１７’を４本並べてその上下を不織布１７”で被覆することにより構成されている。伸縮弾性材料１７’としては、例えば、ウレタンフィラメント（例えば、４００ｄｔｅｘ）を用いることができる。不織布１７”としては、例えば、ＰＥ／ＰＰ不織布（例えば、目付量１２ｇ／ｍ2、チッソ社製）を用いることができる。帯状支持体１７の左右方向の幅は、１５ｍｍ程度とすることができる。
図１２（Ｂ）に示される帯状支持体１７ａは、チューブ状の伸縮弾性材料１７ａ’の上下を不織布１７ａ”で被覆することにより構成されている。伸縮弾性材料１７ａ’としては、例えば、薄肉のゴムチューブ（例えば、横幅１０ｍｍ）を用いることができる。不織布１７”としては、例えば、ＰＥ／ＰＰ不織布（例えば、目付量１２ｇ／ｍ2、チッソ社製）を用いることができる。
図１２（Ｃ）に示される帯状支持体１７ｂは、繭玉状の伸縮弾性材料により構成されている。
図１２（Ｄ）に示される帯状支持体１７ｃは、ダンベル状の伸縮弾性材料により構成されている。
図１２（Ｅ）に示される帯状支持体１７ｄは、Ｖ字型状の伸縮弾性材料により構成されている。
図１２（Ｆ）に示される帯状支持体１７ｅは、逆Ｖ字型状の伸縮弾性材料により構成されている。
帯状支持体１７ｂ、１７ｃ、１７ｄ及び１７ｅに用いられる伸縮弾性材料としては、例えば、伸縮性の大きいポリエーテル系のポリウレタンフォームが挙げられる。
【００７７】
図１２（Ｇ）に示される帯状支持体１７ｆは、伸縮弾性材料１７ｆ’の下面に不織布１７ｆ”が結合し、不織布１７ｆ”は伸縮弾性材料１７ｆ’の片側からフリンジ状に垂れ下がっている。
図１２（Ｈ）に示される帯状支持体１７ｇは、伸縮弾性材料１７ｇ’を不織布１７ｇ”が被覆し、不織布１７ｇ”は伸縮弾性材料１７ｇ’の片側からフリンジ状に垂れ下がっている。
図１２（Ｉ）に示される帯状支持体１７ｈは、伸縮弾性材料１７ｈ’の下面に不織布１７ｈ”が結合し、不織布１７ｈ”は伸縮弾性材料１７ｈ’の両側からフリンジ状に垂れ下がっている。
図１２（Ｊ）に示される帯状支持体１７ｉは、伸縮弾性材料１７ｉ’を不織布１７ｉ”が被覆し、不織布１７ｉ”は伸縮弾性材料１７ｉ’の両側からフリンジ状に垂れ下がっている。
図１２（Ｋ）に示される帯状支持体１７ｊは、伸縮弾性材料１７ｊ’の下面に不織布１７ｊ”が結合し、不織布１７ｊ”は伸縮弾性材料１７ｊ’の片側からカーテン状に垂れ下がっている。
図１２（Ｌ）に示される帯状支持体１７ｋは、伸縮弾性材料１７ｋ’を不織布１７ｋ”が被覆し、不織布１７ｋ”は伸縮弾性材料１７ｋ’の片側からカーテン状に垂れ下がっている。
このように帯状支持体がフリンジ状又はカーテン状に垂れ下がっている部分を有すると、連結シートとの結合が強固になり、また、簡易になる。
【００７８】
以下、本発明の吸収体物品のより具体的な実施態様の例について説明するが、それに先立ち、比較の対照となる従来の吸収体物品について説明する。
図１７は、従来の吸収体物品の一例を示す模式図である。図１７（Ａ）は、大人用パンツ型おむつの態様である吸収体物品（アテント薄型すっきりパンツＬＬサイズ、大王製紙（株）製）をそのウエストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１７（Ｂ）は、図１７（Ａ）中のＸＶＩＩＢ−ＸＶＩＩＢ線に沿った横端面図である。図１７（Ｃ）は、吸収体物品に応力を加えない場合の（弛緩状態の）図１７（Ａ）中のＸＶＩＩＣ−ＸＶＩＩＣ線に沿った横端面図である。
図１７に示される吸収体物品２００は、大人用パンツ型おむつの製品として代表的なものである。吸収体物品２００は、前後方向の長さが８５０ｍｍ、左右方向の幅が７００ｍｍである。
吸収体物品２００は、下から外装シート４０、防漏体１０ａ、吸収体１２ａ及び吸収体１２ａの上面を被覆するトップシート３２ａを具備し、更に、ギャザー成分であるウエストギャザー４２、シャーリングギャザー４４及び立体レッグギャザー（ＳＬＧ）４６を有して構成されている。
【００７９】
外装シート４４は、パンツ型おむつにおいて用いられる、着用者の身体を被包するための装着機能を担う部材である。具体的には、前身頃Ｆ、股下部Ｃ及び後身頃Ｒの各部を形成するシート状の部材が用いられる。
吸収体物品２００のようなパンツ型おむつにおいては、防漏体により尿等の漏れが防止されるため、外装シートには、液不透過性材料を用いる必要がない。外装シートとしては、例えば、従来公知の吸収体物品に用いられる外装シートを用いることができる。具体的には、例えば、ポリエチレン、ポリプロピレン、ポリエステルその他の熱可塑性樹脂からなる合成繊維によって構成された不織布を外装シートとして用いることができる。
吸収体物品２００においては、外装シート４０は、ＰＰ繊維製のスパンボンド不織布（目付量１７ｇ／ｍ2）から構成されている。
【００８０】
防漏体（バックシート）１０ａは、ＰＥ樹脂製通気性フィルム（目付量２０ｇ／ｍ2）により構成されている。
吸収体１２ａは、ＳＡＰとパルプとの混合体マットをクレープ紙で包んだ構造であり、ＳＡＰ含有量は９ｇ／枚、パルプ含有量は１１ｇ／枚、クレープ紙は目付量１８ｇ／ｍ2である。
トップシート３２ａは、ＰＥ／ＰＥＴ繊維（１．５ｄ×４５ｍｍ）を主成分とする液透過性のエアスルー不織布（目付量２１ｇ／ｍ2）により構成されている。
【００８１】
ウェストギャザーは、吸収体物品本体の前端部と後端部とを連結し、おむつをウェスト周りに密着させ、ずれ落ちを防ぐ固定バンドとして働く。
吸収体物品２００においては、ウエストギャザー４２は、天然ゴム糸（１．０ｍｍ×０．３５ｍｍ）を２６０％前後の延伸状態で５本並べて上下のスパンボンド不織布ではさみ、このスパンボンド不織布に接合して構成されている。
シャーリングギャザーは、着用時に着用者の腹部及び背部を被覆する位置に設けられる。
吸収体物品２００においては、シャーリングギャザー４４は、ポリウレタンフィラメント（スパンデックス６２０ｄｔｅｘ）を２００％前後の延伸状態で５本、スパンデックス３１０ｄｔｅｘを２５０％前後の延伸状態で１５本、合計２０本並べて、上下のスパンボンド不織布ではさみ、このスパンボンド不織布に接合して構成されている。
立体レッグギャザー（ＳＬＧ）４６は、ポリウレタンフィラメント（スパンデックス６２０ｄｔｅｘ）を２７０％前後の延伸状態で４本並べて上下のスパンボンド不織布ではさみ、このスパンボンド不織布に接合して構成されている。立体レッグギャザー（ＳＬＧ）４６は、左右側縁に配置されている。
【００８２】
吸収体物品２００の吸収能力は、生理食塩水中に吸収体物品２００を浸せきさせて生理食塩水を吸収させ、その後、１．４ｋｇ／１００ｃｍ2の加重下で脱水し、吸収前の重量を差し引いて脱水後の吸収量を測定する方法により求めると、１ピース当たり約６８０ｇであった。
【００８３】
つぎに、本発明の吸収体物品のより具体的な実施態様の例について説明する。
図１３は、本発明の吸収体物品の実施態様の例を示す模式図である。図１３（Ａ）は、パンツ型おむつの態様である吸収体物品をそのウエストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１３（Ｂ）は、図１３（Ａ）中のＸＩＩＩＢ−ＸＩＩＩＢ線に沿った横端面図である。図１３（Ｃ）は、吸収体物品に応力を加えない場合の（弛緩状態の）図１３（Ａ）中のＸＩＩＩＣ−ＸＩＩＩＣ線に沿った横端面図である。
【００８４】
図１３に示される吸収体物品１０２は、大人用パンツ型おむつとして構成されている。吸収体物品１０２は、図１７に示される吸収体物品２００に、体液受容キャナルＣａを形成する連結構造体１４ｈを組み込んだものである。具体的には、吸収体物品２００に、連結構造体１４ｈの前端及び後端をそれぞれ前端結合部２０ａ及び後端結合部２２ａで結合させて一体化し、更に、連結構造体１４ｈの連結シート１８ｈとトップシート３２ａの表面とを結合部２６ａで結合させて得ることができる。
【００８５】
吸収体物品１０２は、連結構造体１４ｈがＶ字型の体液受容キャナルＣａを形成している。体液受容キャナルの垂下度（ｈ3／ｗ3）は、股下部Ｃで約２．０である。吸収体物品１０２は、弛緩状態では、体液受容キャナルＣａが形成されるとともに、ＳＬＧが立ち上がっている（図１３（Ｃ）参照）。
【００８６】
図１４は、連結構造体１４ｈを示す模式図である。図１４（Ａ）は、平面図であり、図１４（Ｂ）は、図１４（Ａ）中のＸＩＶＢ−ＸＩＶＢ線に沿った横端面図である。
連結構造体１４ｈは、左右一対の帯状支持体１６ｈと、左右の縁部がそれぞれ左右一対の帯状支持体１６ｈと結合する連結シート１８ｈとを有している。連結シート１８ｈの左右の縁部の上面は、左右一対の帯状支持体１６ｈの下側と、結合部２４ｅにおいて、結合している。
帯状支持体１６ｈは、図１２（Ａ）に示される帯状支持体１７と同様に、伸縮弾性材料（スパンデックス３１０ｄｔｅｘ）を２本並べてその上下を不織布で被覆することにより構成されている。また、帯状支持体１６ｈは、図１２（Ｈ）に示される帯状支持体１７ｇと同様に、不織布が伸縮弾性材料の片側からフリンジ状に垂れ下がっている。帯状支持体１６ｈは、左右方向の幅が２０ｍｍである。
連結シート１８ｈは、前後方向の長さ５５０ｍｍ、左右方向の幅２００ｍｍの液透過性の親水化エアスルー不織布（ＰＥ／ＰＥＴ製、目付量２０ｇ／ｍ2）の両側縁を２０ｍｍずつ折り畳み、幅１２０ｍｍにしたものである。
帯状支持体１６ｈの不織布のフリンジ部と連結シート１８ｈの両側縁とは、ホットメルト接着剤により接合されている。
連結構造体１４ｈの連結シート１８ｈは、前身頃Ｆの一部から股下部Ｃを経て後身頃Ｒの一部にわたる範囲で、連結シート１８ｈの左右方向の中央付近の下面が、トップシート３２ａの表面と、線状のホットメルト接着剤によって固定部２６ａで結合している。
【００８７】
吸収体物品１０２は、前端から後端まで連続して、図１３（Ｃ）に横端面が示される体液受容キャナルＣａを有する。
体液受容キャナルＣａは、切欠き等の体液の出口を設けられていないが、連結シート１８ｈが液透過性の不織布であるため、体液の吸収体１２ａの表面への移行及び分配は、連結シート１８ｈが全面に有する細孔を通じて行われる。
【００８８】
吸収体物品１０２の着用時に尿が排出されると、排出された尿は、全量がこの体液受容キャナルＣａに受容される。受容された尿は、体液受容キャナルＣａ内を前後に移動しながら、連結シート１８ｈの細孔から吸収体１２ａの表面上に分配されて、排出される。
その結果、吸収体１２ａのクロッチ部に存在する部分に排出される尿の量は大幅に抑制され、クロッチ部の側面からの尿の漏れはほぼ確実に防止される。
他方、吸収体１２ａの前部及び後部に存在する部分に供給される尿の量は多くなる。
【００８９】
吸収体物品１０２の着用時に便が排出されると、排出された便は、全量がこの体液受容キャナルＣａに受容される。便中の液体成分は、尿と同様に、連結シート１８ｈの細孔から排出され、それにより濃縮された固形成分は、そのまま体液受容キャナルＣａ内にとどまり、必然的に尿便分離が行われる。便は、便の量に応じて体液受容キャナルＣａ内を前部の方向に移動して、体液受容キャナルＣａの外部への拡散を防止する。
便が排出された場合には、原則としておむつの交換が行われるが、着用者の肌のうち、便に汚染されている部位は肛門周辺に限定されるので、介護者による清拭作業も簡易になる。また、そのため、おむつの脱着も容易になるため、廃棄処理による手間も軽減される。
【００９０】
図１５は、本発明の吸収体物品の実施態様の別の例を示す模式図である。図１５（Ａ）は、パンツ型おむつの態様である吸収体物品をそのウエストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１５（Ｂ）は、図１５（Ａ）に示される吸収体物品に用いられる連結構造体を示す模式的な平面図である。図１５（Ｃ）は、図１５（Ｂ）中のＸＶＣ−ＸＶＣ線に沿った横端面図である。
【００９１】
図１５に示される吸収体物品１０３は、大人用パンツ型おむつとして構成されている。吸収体物品１０３は、図１７に示される吸収体物品２００に、体液受容キャナルＣａを形成する連結構造体１４ｉを組み込んだものである。具体的には、吸収体物品２００に、連結構造体１４ｉの前端及び後端をそれぞれ前端結合部２０ｂ及び後端結合部２２ｂで結合させて一体化し、更に、連結構造体１４ｉの連結シート１８ｉとトップシート３２ａの表面とを結合部２６ｂで結合させて得ることができる。
【００９２】
連結構造体１４ｉは、左右一対の帯状支持体１６ｉと、左右の縁部がそれぞれ左右一対の帯状支持体１６ｉと結合する連結シート１８ｉとを有している。連結シート１８ｉの左右の縁部の上面は、左右一対の帯状支持体１６ｉの下側と、結合部２４ｆにおいて、結合している。
帯状支持体１６ｉは、図１２（Ａ）に示される帯状支持体１７と同様に、伸縮弾性材料（スパンデックス３１０ｄｔｅｘ）を２本並べてその上下を不織布で被覆することにより構成されている。また、帯状支持体１６ｉは、図１２（Ｈ）に示される帯状支持体１７ｇと同様に、不織布が伸縮弾性材料の片側からフリンジ状に垂れ下がっている。帯状支持体１６ｉは、左右方向の幅が２０ｍｍである。
連結シート１８ｉは、前後方向の長さ５５０ｍｍ、左右方向の幅２００ｍｍの疎水性のスパンメルト不織布（ＰＰ製ＳＭＳ、目付量１５ｇ／ｍ2）の両側縁を２０ｍｍずつ折り畳み、幅１２０ｍｍにし、更に、前身頃Ｆの前端付近に小型の角が丸い長方形状の切欠き３５を、股下部Ｃから後身頃Ｒにかけて細かい多数の前後方向に延在するスリット３９を、それらの前端及び後端に左右方向に延在する横Ｃ字型スリット３９’を、それぞれ体液の出口として設けたものである。
帯状支持体１６ｉの不織布のフリンジ部と連結シート１８ｉの両側縁とは、ホットメルト接着剤により接合されている。
連結構造体１４ｉの連結シート１８ｉは、前身頃Ｆの一部から股下部Ｃを経て後身頃Ｒの一部にわたる範囲で、連結シート１８ｉの左右方向の中央付近の下面が、トップシート３２ａの表面と、線状のホットメルト接着剤によって固定部２６ａで結合している。
【００９３】
吸収体物品１０３は、前端から後端まで連続して、図１３（Ｃ）に示されるのと同様の横端面を有する体液受容キャナルＣａを有する。
体液受容キャナルＣａにおいては、体液の吸収体１２ａの表面への移行及び分配は、切欠き３５、スリット３９及びスリット３９’を通じてのみ行われる。
【００９４】
吸収体物品１０３の着用時に尿が排出されると、排出された尿は、全量がこの体液受容キャナルＣａに受容される。受容された尿は、体液受容キャナルＣａ内を前後に移動しながら、切欠き３５、スリット３９及びスリット３９’から吸収体１２ａの表面上に分配されて、排出される。
連結構造体１４ｉは、クロッチ部に体液の出口を有していないので、結果的に、吸収体のクロッチ部に存在する部分には尿は直接排出されず、クロッチ部の側面からの尿の漏れは確実に防止される。
他方、吸収体１２ａの前部及び後部に存在する部分に供給される尿の量は、図１３に示される吸収体物品１０２よりも多くなる。
【００９５】
吸収体物品１０３の着用時に便が排出されると、排出された便は、全量がこの体液受容キャナルＣａに受容される。便中の液体成分は、尿と同様に、連結シート１８ｈのスリット３９及び３９’から排出され、それにより濃縮された固形成分は、そのまま体液受容キャナルＣａ内にとどまり、必然的に尿便分離が行われる。便は、便の量に応じて体液受容キャナルＣａ内を前部の方向に移動して、体液受容キャナルＣａの外部への拡散を防止する。
便が排出された場合には、原則としておむつの交換が行われるが、着用者の肌のうち、便に汚染されている部位は肛門周辺に限定されるので、介護者による清拭作業も簡易になる。また、そのため、おむつの脱着も容易になるため、廃棄処理による手間も軽減される。
【００９６】
図１６は、本発明の吸収体物品の実施態様の更に別の例を示す模式図である。図１６（Ａ）は、パンツ型おむつの態様である吸収体物品をそのウエストギャザーの左右両側の部分（図中のＺ及びＺ’）で切断して、吸収体物品に応力を加えて前後方向及び左右方向に引っ張って展開し、ほぼ平面状にした状態を模式的に示した平面展開図である。図１６（Ｂ）は、図１６（Ａ）に示される吸収体物品に用いられる連結構造体を示す模式的な平面図である。図１６（Ｃ）は、図１６（Ｂ）中のＸＶＩＣ−ＸＶＩＣ線に沿った横端面図である。
【００９７】
図１６に示される吸収体物品１０４は、大人用パンツ型おむつとして構成されている。吸収体物品１０４は、図１７に示される吸収体物品２００に、体液受容キャナルＣａを形成する連結構造体１４ｊを組み込んだものである。具体的には、吸収体物品２００に、連結構造体１４ｊの前端及び後端をそれぞれ前端結合部２０ｃ及び後端結合部２２ｃで結合させて一体化し、更に、連結構造体１４ｊの連結シート１８ｊとトップシート３２ａの表面とを結合部２６ｃで結合させて得ることができる。
【００９８】
連結構造体１４ｊは、左右一対の帯状支持体１６ｊと、左右の縁部がそれぞれ左右一対の帯状支持体１６ｊと結合する連結シート１８ｊとを有している。連結シート１８ｊの左右の縁部の上面は、左右一対の帯状支持体１６ｊの下側と、結合部２４ｇにおいて、結合している。
帯状支持体１６ｊは、図１２（Ａ）に示される帯状支持体１７と同様に、伸縮弾性材料（スパンデックス３１０ｄｔｅｘ）を２本並べてその上下を不織布で被覆することにより構成されている。また、帯状支持体１６ｊは、図１２（Ｈ）に示される帯状支持体１７ｇと同様に、不織布が伸縮弾性材料の片側からフリンジ状に垂れ下がっている。帯状支持体１６ｊは、左右方向の幅が２０ｍｍである。
連結シート１８ｉは、前後方向の長さ５５０ｍｍ、左右方向の幅２００ｍｍの親水化処理したスパンボンド不織布（ＰＥ／ＰＰ製、目付量１７ｇ／ｍ2）からなる親水性シート１８ｊ’と、前後方向の長さ２００ｍｍ、左右方向の幅７０ｍｍの疎水性のスパンメルト不織布（ＰＰ製ＳＭＳ、目付量１５ｇ／ｍ2）からなる疎水性シート１８ｊ”とにより構成されている。連結シート１８ｊは、親水性シート１８ｊ’と疎水性シート１８ｊ”とを、図３（Ｄ）に示される連結シート１８ｄと同様に、貼り合せて、複層シートを形成し、その両側縁を２０ｍｍずつ折り畳み、幅１２０ｍｍにし、更に、前身頃Ｆの前端付近に小型の角が丸い長方形状の切欠き３５ａを、股下部Ｃから後身頃Ｒにかけて細かい多数の前後方向に延在するスリット３９ａを、それらの前端及び後端に左右方向に延在する横Ｃ字型スリット３９ａ’を、それぞれ体液の出口として設けたものである。疎水性シート１８ｊ”は、切欠き３５ａと前側のスリット３９ａ’との間に位置している。
帯状支持体１６ｊの不織布のフリンジ部と連結シート１８ｊの両側縁とは、ホットメルト接着剤により接合されている。
連結構造体１４ｊの連結シート１８ｊは、前身頃Ｆの一部から股下部Ｃを経て後身頃Ｒの一部にわたる範囲で、連結シート１８ｊの左右方向の中央付近の下面が、トップシート３２ａの表面と、線状のホットメルト接着剤によって固定部２６ｃで結合している。
【００９９】
吸収体物品１０４は、前端から後端まで連続して、図１３（Ｃ）に示されるのと同様の横端面を有する体液受容キャナルＣａを有する。
体液受容キャナルＣａにおいては、体液の吸収体１２ａの表面への移行及び分配は、主に、切欠き３５ａ、スリット３９ａ及びスリット３９ａ’を通じて行われるが、連結シート１８ｊを構成する親水性シート１８ｊ’が液透過性の不織布であるため、一部はその細孔を通じても行われる。
【０１００】
吸収体物品１０４の着用時に尿が排出されると、排出された尿は、全量がこの体液受容キャナルＣａに受容される。受容された尿は、体液受容キャナルＣａ内を前後に移動しながら、切欠き３５、スリット３９及びスリット３９’と、親水性シート１８ｊ’の細孔とから吸収体１２ａの表面上に分配されて、排出される。
連結構造体１４ｊは、股下部Ｃの前後の体液受容キャナルＣａの底面に相当する部分に疎水性シート１８ｊ”を有しており、体液の出口を有していないので、結果的に、吸収体のクロッチ部に存在する部分には尿は直接排出されず、クロッチ部の側面からの尿の漏れは確実に防止される。
他方、吸収体１２ａの前部及び後部に存在する部分に供給される尿の量は、図１３に示される吸収体物品１０２よりも大幅に多くなる。
【０１０１】
吸収体物品１０４の着用時に便が排出されると、排出された便は、全量がこの体液受容キャナルＣａに受容される。便中の液体成分は、尿と同様に、連結シート１８ｊのスリット３９ａ、スリット３９ａ’及び親水性シート１８ｊ’の細孔から排出され、それにより濃縮された固形成分は、そのまま体液受容キャナルＣａ内にとどまり、必然的に尿便分離が行われる。便は、便の量に応じて体液受容キャナルＣａ内を前部の方向に移動して、体液受容キャナルＣａの外部への拡散を防止する。
便が排出された場合には、原則としておむつの交換が行われるが、着用者の肌のうち、便に汚染されている部位は肛門周辺に限定されるので、介護者による清拭作業も簡易になる。また、そのため、おむつの脱着も容易になるため、廃棄処理による手間も軽減される。
【０１０２】
図１８は、本発明の吸収体物品の実施態様の更に別の例を示す模式図である。図１８（Ａ）は、子供用テープ型おむつの態様である吸収体物品に応力を加えて前後方向及び左右方向に引っ張って展開し、ほぼ平面状にした状態を模式的に示した展開平面図である。図１８（Ｂ）は、前記の状態の図１８（Ａ）中のＸＶＩＩＩＢ−ＸＶＩＩＩＢ線に沿った横端面図である。
図１８に示される吸収体物品１０５は、基本的に、図１に示される吸収体物品１００と同様であるが、連結構造体１４ｋにおける連結シート１８ｋの構造及びトップシート３２との結合の態様が異なる。
吸収体物品１０５に用いられている連結構造体１４ｋは、左右一対の帯状支持体１６ｋと、左右の縁部がそれぞれ左右一対の帯状支持体１６ｋと結合部２４ｉで結合する連結シート１８ｋとを有する。連結構造体１４ｋの前端及び後端はそれぞれ前端結合部２０ｄ及び後端結合部２２ｄで吸収体物品１０５本体と結合している。
【０１０３】
帯状支持体１６ｋは、帯状支持体１６と同様である。
連結シート１８ｋは、疎水性のスパンボンド不織布（ＰＥ／ＰＥＴ製、目付量１５ｇ／ｍ2）により構成され、前身頃Ｆと、股下部Ｃから後身頃Ｒにかけてとの２箇所に切欠き３５ｂ及び３５ｂ’を有している。前身頃Ｆに存在する切欠き３５ｂは、前後方向の長さが左右方向の幅より短いほぼ長方形をしている。股下部Ｃから後身頃Ｒにかけて存在する切欠き３５ｂ’は、前後方向の長さが左右方向の幅より長いほぼ長方形をしている。
連結シート１８ｋは、結合部２６ｄ、２６ｅ、２６ｆ及び２６ｇにおいて、トップシート３２と結合している。前身頃Ｆの左右両側に存在する結合部２６ｄは、いずれも前後方向に線状に延在している。後身頃Ｒの左右両側に存在する結合部２６ｅは、いずれも前後方向に線状に延在している。前身頃Ｆから股下部Ｃにかけて左右方向の中央に存在する結合部２６ｆは、前後方向に帯状に延在しているが、幅が太く、結合を強固にして、切欠き３５ｂの周辺の連結シート１８ｋの変形を防止して安定化するという効果を奏する。股下部Ｃから後身頃Ｒにかけて存在する切欠き３５ｂ’の前側の縁及び左右の縁の前側ほぼ半分の付近においても、それぞれ線状の結合部２６ｇが設けられている。
吸収体物品１０５においては、連結シート１８ｋのトップシート３２への結合状態が図６（Ｉ）に示した状態に類似しており、体液受容キャナルＣａは、部位によってその形状が異なる。すなわち、体液受容キャナルＣａは、帯状の結合部２６ｆで結合された股下部ＣにおいてはＶ字型を呈する一方、左右両側に結合部２６ｄ及び２６ｅを有する切欠き３５ｂ及び３５ｂ’の周辺部では、それぞれ図６（Ｊ）及び図６（Ｌ）に示されるようなＵ字型となる。
【０１０４】
吸収体物品１０５の着用時に尿が排出されると、排出された尿は、全量がこの体液受容キャナルＣａに受容される。受容された尿は、体液受容キャナルＣａ内を前後に移動しながら、切欠き３５ｂ及び３５ｂ’から吸収体１２の表面上に分配されて、排出される。
【０１０５】
図１９は、本発明の吸収体物品の実施態様の更に別の例を示す模式図である。図１９（Ａ）は、子供用テープ型おむつの態様である吸収体物品に応力を加えて前後方向及び左右方向に引っ張って展開し、ほぼ平面状にした状態を模式的に示した展開平面図である。図１９（Ｂ）は、前記の状態の図１９（Ａ）中のＸＩＸＢ−ＸＩＸＢ線に沿った横端面図である。
図１９に示される吸収体物品１０６は、基本的に、図１に示される吸収体物品１００と同様であるが、連結構造体１４ｌにおける連結シート１８ｌの構造及びトップシート３２との結合の態様が異なる。
吸収体物品１０６に用いられている連結構造体１４ｌは、左右一対の帯状支持体１６ｌと、左右の縁部がそれぞれ左右一対の帯状支持体１６ｌと結合部２４ｊで結合する連結シート１８ｌとを有する。連結構造体１４ｌの前端及び後端はそれぞれ前端結合部２０ｅ及び後端結合部２２ｅで吸収体物品１０６本体と結合している。
【０１０６】
帯状支持体１６ｌは、帯状支持体１６と同様である。
連結シート１８ｌは、連結シート１８ｋと同じ疎水性不織布により構成され、前身頃Ｆにおいて左右方向に延在する２本のスリット３９ｂを有し、また、股下部Ｃから後身頃Ｒにかけて左右方向に延在する４本のスリット３９ｂ’を有している。
連結シート１８ｌは、結合部２６ｈ及び２６ｉにおいて、トップシート３２と結合している。股下部Ｃの左右方向の中央に存在する結合部２６ｈは、前後方向に帯状に延在しており、幅が太いため、結合は強固になっている。スリット３９ｂ及び３９ｂ’に近接して存在し、それぞれ左右方向に延在する結合部２６ｉは、いずれもスリット３９ｂ及び３９ｂ’が開口しやすくなるように設けられている。これにより、体液受容キャナルＣａから吸収体１２の上への体液の移行及び分配が円滑に行われるようになっている。
【０１０７】
吸収体物品１０６の着用時に尿が排出されると、排出された尿は、全量がこの体液受容キャナルＣａに受容される。受容された尿は、体液受容キャナルＣａ内を前後に移動しながら、スリット３９ｂ及び３９ｂ’から吸収体１２の表面上に分配されて、排出される。また、スリット３９ｂのうち最も前側に存在し、左右方向の幅が大きいスリットは、トップシート３２と連結構造体１４ｌとが前端結合部２０ｅにより密閉されて形成された前部ポケットの入口を形成し、吸収体１２の前端部における吸収を促進するとともに、前端部からの尿の溢流を防止する。スリット３９ｂ’のうち最も後側に存在するし、左右方向の幅が大きいスリットは、トップシート３２と連結構造体１４ｌとが後端結合部２２ｅにより密閉されて形成された後部ポケットの入口を形成し、吸収体１２の後端部における吸収を促進するとともに、後端部からの尿及び便の溢流を防止する。
このように、連結構造体が、その前端及び前記前端から連なる左右両縁の部分において、前記吸収体物品本体と結合しており、前記連結構造体と前記吸収体物品本体とにより前部ポケットが形成されているのは、本発明の好ましい態様の一つである。また、連結構造体が、その後端及び前記後端から連なる左右両縁の部分において、前記吸収体物品本体と結合しており、前記連結構造体と前記吸収体物品本体とにより後部ポケットが形成されているのは、本発明の好ましい態様の一つである。
吸収体物品１０６の体液受容キャナルＣａの形状は、股下部Ｃにおいて、図６（Ｂ）に示されるものに類似した深いＶ字型を呈する。
【０１０８】
図２０は、本発明の吸収体物品の実施態様の更に別の例を示す模式図である。図２０（Ａ）は、子供用テープ型おむつの態様である吸収体物品に応力を加えて前後方向及び左右方向に引っ張って展開し、ほぼ平面状にした状態を模式的に示した展開平面図である。図２０（Ｂ）は、前記の状態の図２０（Ａ）中のＸＸＢ−ＸＸＢ線に沿った横端面図である。
図２０に示される吸収体物品１０７は、基本的に、図１に示される吸収体物品１００と同様であるが、連結構造体１４ｍにおける連結シート１８ｍの構造及びトップシート３２との結合の態様が異なる。
吸収体物品１０７に用いられている連結構造体１４ｍは、左右一対の帯状支持体１６ｍと、左右の縁部がそれぞれ左右一対の帯状支持体１６ｍと結合部２４ｋで結合する連結シート１８ｍとを有する。連結構造体１４ｍの前端及び後端はそれぞれ前端結合部２０ｆ及び後端結合部２２ｆで吸収体物品１０７本体と結合している。
【０１０９】
帯状支持体１６ｍは、帯状支持体１６と同様である。
連結シート１８ｍは、連結シート１８ｋと同じ疎水性不織布により構成され、前身頃Ｆにおいて、細かい多数の前後方向に延在するスリット３９ｃを、それらの前端及び後端に左右方向に延在する横Ｃ字型スリット３９ｃ’を、それぞれ有し、股下部Ｃから後身頃Ｒにかけての領域において、細かい多数の前後方向に延在するスリット３９ｄを、それらの前端及び後端に左右方向に延在する横Ｃ字型スリット３９ｄ’を、それぞれ有している。
連結シート１８ｍは、結合部２６ｊ、２６ｋ及び２６ｌにおいて、トップシート３２と結合している。股下部Ｃの左右方向の中央に存在する結合部２６ｊは、前後方向に帯状に延在しており、幅が太いため、結合は強固になっている。スリット３９ｃ及び３９ｄの位置の左右方向の中央に延在する結合部２６ｋ及び２６ｌは、いずれもスリット３９ｃ’及び３９ｄ’が開口しやすくなるように設けられている。これにより、体液受容キャナルＣａから吸収体１２の上への体液の移行及び分配が円滑に行われるようになっている。
【０１１０】
吸収体物品１０７の着用時に尿が排出されると、排出された尿は、全量がこの体液受容キャナルＣａに受容される。受容された尿は、体液受容キャナルＣａ内を前後に移動しながら、スリット３９ｃ、３９ｃ’、３９ｄ及び３９ｄ’から吸収体１２の表面上に分配されて、排出される。また、スリット３９ｃ’のうち最も前側に存在し、左右方向の幅が大きいスリットは、トップシート３２と連結構造体１４ｍとが前端結合部２０ｆにより密閉されて形成された前部ポケットの入口を形成し、吸収体１２の前端部における吸収を促進するとともに、前端部からの尿の溢流を防止する。スリット３９ｄ’のうち最も後側に存在し、左右方向の幅が大きいスリットは、トップシート３２と連結構造体１４ｍとが後端結合部２２ｆにより密閉されて形成された後部ポケットの入口を形成し、吸収体１２の後端部における吸収を促進するとともに、後端部からの尿及び便の溢流を防止する。
吸収体物品１０７の体液受容キャナルＣａの形状は、股下部Ｃから後身頃Ｒにかけては図６（Ｂ）に示されるものに類似した深いＶ字型を呈する一方、前身頃Ｆから股下部Ｃにかけての一部においては、図６（Ｅ）に示されるものに類似した、吸収体の表面から浮上した浅い形状になっている。
【０１１１】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【０１１２】
本発明の吸収体物品は、紙おむつ（子供用及び大人用）、失禁用品、トレーニングパンツ等に好適に用いられる。
【実施例】
【０１１３】
以下に、実施例を示して本発明を具体的に説明する。ただし、本発明はこれらに限られるものではない。
以下のようにして、本発明の吸収体物品および市販の吸収体物品を用いて、着用試験を行った。
１．吸収体物品
実施例１として、図１３に示される本発明の吸収体物品を用い、実施例２として、図１６に示される本発明の吸収体物品を用い、比較例１として、図１７に示される市販の吸収体物品（アテント薄型すっきりパンツＬＬサイズ、大王製紙（株）製）を用いた。
なお、上述したように、図１３及び図１６に示される本発明の吸収体物品は、いずれも、図１７に示される吸収体物品に連結構造体を組み込んだものであって、おむつ本体の仕様は全く同じであるから、吸収体の設計上の限界吸収量は図１７に示される吸収体物品と同じ６８０ｇである。【０１１４】
２．実験方法
着用試験は、実施例１及び２並びに比較例１の吸収体物品をそれぞれ３枚用い、６５歳の健康な男性が、着用し、排尿を繰り返すことにより行った。具体的には、以下の（１）〜（３）の３サイクルの試験を行った。【０１１５】
（１）第１回サイクル
（ｉ）着用時の状態の確認
未使用（乾燥状態）の吸収体物品を着用し、ペニスの存在位置、ＳＬＧの存在位置及び実施例においては帯状支持体の存在位置を確認した。
（ｉｉ）動作時の状態の確認
その後、約３０分間、歩行、開閉脚、上下屈伸、座位、横転等を繰り返し、動作時のずれや変異を確認した。
（ｉｉｉ）第１回排尿試験
第１回排尿を行った後、吸収体物品を脱着して、漏れの状態及び漏れ量の概算量を確認した。
漏れが発生した場合、着用試験は終了とした。吸収体物品をそのまま秤量し、吸収量を測定した後に、ウエストシールを切断して吸収状態、漏れ状態並びにクロッチ部位の吸収状態及び変形状態を解析した。
漏れが発生しなかった場合、吸収体物品をそのまま秤量し、吸収量を測定した後に、着用し、着用試験を続行した。【０１１６】
（２）第２回サイクル
（ｉ）着用時の状態の確認
第１回排尿試験後の湿潤状態の吸収体物品を着用し、ペニスの存在位置、ＳＬＧの存在位置及び実施例においては帯状支持体の存在位置を確認した。
（ｉｉ）動作時の状態の確認
その後、約３０分間、歩行、開閉脚、上下屈伸、座位、横転等を繰り返し、動作時のずれや変異を確認した。
（ｉｉｉ）第２回排尿試験
第２回排尿を行った後、吸収体物品を脱着して、漏れの状態及び漏れ量の概算量を確認した。
漏れが発生した場合、着用試験は終了とした。吸収体物品をそのまま秤量し、吸収量を測定した後に、ウエストシールを切断して吸収状態、漏れ状態並びにクロッチ部位の吸収状態及び変形状態を解析した。
漏れが発生しなかった場合、吸収体物品をそのまま秤量し、吸収量を測定した後に、着用し、着用試験を続行した。【０１１７】
（３）第３回サイクル
（ｉ）着用時の状態の確認
第２回排尿試験後の湿潤状態の吸収体物品を着用し、ペニスの存在位置、ＳＬＧの存在位置及び実施例においては帯状支持体の存在位置を確認した。
（ｉｉ）動作時の状態の確認
その後、約３０分間、歩行、開閉脚、上下屈伸、座位、横転等を繰り返し、動作時のずれや変異を確認した。
（ｉｉｉ）第３回排尿試験
第３回排尿を行った後、吸収体物品を脱着して、漏れの状態及び漏れ量の概算量を確認した。
吸収体物品をそのまま秤量し、吸収量を測定した後に、ウエストシールを切断して吸収状態、漏れ状態並びにクロッチ部位の吸収状態及び変形状態を解析した。【０１１８】
なお、上記の各排尿試験は、伏臥位及び仰臥位の２種類の体位で行った。
伏臥位は、尿が前部に存在する吸収体に集中しやすく、後部に存在する吸収体を利用しにくい体位であり、股下部に吸収負荷をかけずに後部に存在する吸収体をいかに利用するかが課題となる。
仰臥位は、尿が後部に存在する吸収体に集中しやすく、前部に存在する吸収体を利用しにくい体位であり、股下部に吸収負荷をかけずに前部に存在する吸収体をいかに利用するかが課題となる。【０１１９】
３．結果
結果を第１表〜第３表に示す。なお、第１表は、３枚の吸収体物品の平均値である。
また、図２１〜図２７には、おおよその尿の吸収状態を示す。各図における太枠線内が、尿の吸収が確認された領域である。図２１は、比較例１の伏臥位での第１回排尿後の尿の吸収状態を示す模式的な平面図である。図２２は、比較例１の仰臥位での第１回排尿後の尿の吸収状態を示す模式的な平面図である。図２３は、実施例１の伏臥位での第１回排尿後の尿の吸収状態を示す模式的な平面図である。図２４は、実施例１の仰臥位での第１回排尿後の尿の吸収状態を示す模式的な平面図である。図２５は、実施例２の伏臥位での第１回排尿後の尿の吸収状態を示す模式的な平面図である。図２６は、実施例２の仰臥位での第１回排尿後の尿の吸収状態を示す模式的な平面図である。図２７は、実施例２の仰臥位での第２回排尿後の尿の吸収状態を示す模式的な平面図である。【０１２０】
【表１】
2014057571.tif 000003
【０１２１】
【表２】
2014057571.tif 000004
【０１２２】
【表３】
2014057571.tif 000005
【０１２３】
（１）伏臥位の吸収状態（第１表）
比較例１及び実施例１の吸収体物品は、第１表に示したように、いずれも第１回サイクル（第１回排尿）でそれぞれ３枚とも漏れが発生したが、実施例１は、比較例１に比べて、吸収量が高く、吸収効率が２倍近いことが分かる。これは、図２１及び図２３の対比から明らかなように、実施例１においては、比較例１に比べて、吸収領域が後身頃方向に伸びていること、及び、股下部Ｃの吸収状態が比較例１では尿がＳＬＧの上まで到達してサイド漏れが早く発生するのに対し、実施例１では尿が吸収体の部位にとどまって、ＳＬＧの内側にも移行していないでいることによると考えられる。
また、実施例２の吸収体物品では、第１回サイクル（第１回排尿）では３枚とも漏れが発生しなかったが、第２回サイクル（第２回排尿）では３枚のうち２枚で漏れが発生したので、第３回サイクルに供しなかった。実施例２においては、第１回排尿及び第２回排尿の合計吸収量が比較例１の４倍近くになり、吸収効率は７８％まで上がっている。これは、図２１、図２３及び図２５の対比から明らかなように、第１回サイクル（第１回排尿）の後、吸収領域が比較例１に比べ後身頃方向にさらに伸びていること、及び、股下部Ｃの吸収状態が実施例１と同様に、ＳＬＧの根元まで移動せず、尿が吸収体の部位にとどまっていることによると考えられる。
実施例１及び２のいずれにおいても、漏れの発生は前部末端部からのオーバーフローによるもので、クロッチ部からの漏れは観察されなかった。これは股下部Ｃをバイパスする体液受容キャナルＣａによる尿の移行及び分配の効果により後部に存在する吸収体の利用が進んだためと考えられる。【０１２４】
（２）仰臥位の吸収状態（第１表）
仰臥位での吸収量は、伏臥位の吸収量に比べて、全ての実施例及び比較例の吸収体物品において、格段に多かった。これは。仰臥位においては、上述した伏臥位に比べて、吸収に利用される吸収領域が拡大したためであると考えられる。
比較例１の吸収体物品は、第１表に示したように、第１回サイクル（第１回排尿）で３枚とも漏れが発生したが、実施例１及び実施例２の吸収体物品は、第１回サイクル（第１回排尿）では３枚とも漏れが発生しなかった。また、実施例２の吸収体物品は、第２回サイクル（第２回排尿）では３枚のうち２枚では漏れが発生せず、１枚では少量の漏れが発生したが、第３回サイクルに供した。第３回サイクル（第３回排尿）では３枚とも漏れが発生した。
合計吸収量は、実施例１が比較例１の約１．８倍、実施例２が比較例１の約２．３倍であった。吸収効率は、比較例１が４７％であったのに対して、実施例１では８３％、実施例２では設計限界量を超える１０７％であった。設計限界量を超える尿を吸収することができたのは、吸収体（ＳＡＰ）の一部が加圧を受けない状態で利用されていたためと考えられる。これは、図２２、図２４、図２６及び図２７の対比から明らかなように、実施例１及び２は、第１回サイクル（第１回排尿）の後、吸収領域が比較例１に比べ後身頃方向に伸びていること、特に、実施例２は、第２回サイクル（第２回排尿）の後、吸収領域が吸収体１２の前端付近まで拡がっていること、及び、股下部Ｃの吸収状態が、比較例１では尿がＳＬＧの上まで到達してサイド漏れが早く発生したのに対し、ＳＬＧの根元まで移動せず、尿が吸収体の部位にとどまっていることによると考えられる。
実施例１及び２のいずれにおいても、漏れの発生は後部末端部からのオーバーフローによるもので、クロッチ部からの漏れは観察されなかった。これは股下部Ｃをバイパスする体液受容キャナルＣａによる尿の移行及び分配の効果により前部に存在する吸収体の利用が進んだためと考えられる。【０１２５】
（３）クロッチ部に存在する吸収体の利用状態（第２表）
比較例１の吸収体物品では、尿が直接クロッチ部近傍に排出され、クロッチ部に存在する吸収体に大きな負荷がかかるのに対し、実施例１及び２の吸収体物品では、尿がその全量が体液受容キャナルＣａに収容され、前部及び後部に移動して、分配されるため、尿が前後方向からの拡散によりクロッチ部に存在する吸収体に到達していた。そのため第２表に示したような大きな違いがあった。【０１２６】
（４）クロッチ部からのサイド漏れの発生状態（第２表）
上述したような体液受容キャナルＣａの有無に伴う、尿の移行及び分配の機構の違いから、第２表に示したような大きな違いがあった。【０１２７】
（５）クロッチ部の変形状態（第２表）
比較例１の吸収体物品では、着用者の肌の表面が直接クロッチ部に接触するため、動作により吸収体を含むクロッチ部の全体が折れ曲がって変形し、いわゆるバンチング化（こぶ状化）を起こしていた。これに対し、実施例１及び２の吸収体物品では、直接着用者の肌の表面に接触するのは体液受容キャナルＣａを形成する連結構造体の上端にある帯状支持体の表面であり、着用者の肌が直接クロッチ部に接触する機会はないので、クロッチ部の変形はほとんど発生していなかった。【０１２８】
（６）着用時のペニスの位置とその変化（位置ずれの一つの目安として）（第３表）
比較例１の吸収体物品では、第３表に示したように、乾燥状態と湿潤状態の違い、動作の有無の違いによって、左右にずれたり、曲がったりしたが、実施例１及び２の吸収体物品では、乾燥状態と湿潤状態の違い、動作の有無によってほとんど位置変化を生じなかった。
比較例１の吸収体物品では、ペニスは吸収体物品の全着用時間にわたって、直接に、比較的前後、左右に幅のある吸収体表面に接触し続けるため、おむつ本体の動きに応じて位置が変わらざるを得ない。他方、実施例１及び２の吸収体物品では、ペニスは、睾丸の部位を含めて全体が、吸収体物品の中心部を前後に貫き、吸収体表面から離間した、体液受容キャナルＣａの内部に収容され、ソフトな不織布に包まれた状態になっていたので吸収体物品本体の動きとは無関係な状態に保たれていた。【０１２９】
（７）着用時の蒸れ及び肌濡れの発生状態（第３表）
比較例１の吸収体物品では、乾燥状態でも、下腹部と臀部の大部分が、おむつの全着用時間にわたって、直接に、比較的前後、左右に幅のある吸収体表面に圧着的に、接触し続けるため、吸収体物品本体の動きにより摩擦を受け、圧迫感を感じざるを得なかった。湿潤状態でも同じ状態を継続するため、蒸れ及び肌濡れの発生を回避することは不可能に近い。他方、実施例１及び２の吸収体物品では、ペニスは、睾丸の部位を含めて全体が、吸収体物品の中心部を前後に貫き、吸収体表面から離間した、体液受容キャナルＣａの内部に収容され、下腹部と臀部の大部分が体液受容キャナルＣａにより隔離されるので、圧着も受けにくく、ペニスの先の部分だけが、排尿のときだけ濡れるので、第３表に示したように、第２回サイクルを終了するまで長時間連続使用しても蒸れの発生を回避できた。
【符号の説明】
【０１３０】
１０、１０’、１０ａ  防漏体
１２、１２’、１２ａ、１３  吸収体
１４、１４’、１４ａ、１４ｂ、１４ｃ、１４ｄ、１４ｅ、１４ｆ、１４ｇ、１４ｈ、１４ｉ、１４ｊ、１４ｋ、１４ｌ、１４ｍ  連結構造体
１６、１６’、１６ａ、１６ｈ、１６ｉ、１６ｊ、１６ｋ、１６ｌ、１６ｍ、１７ａ、１７ｂ、１７ｃ、１７ｄ、１７ｅ、１７ｆ、１７ｇ、１７ｈ、１７ｉ、１７ｊ、１７ｋ  帯状支持体
１７’、１７ａ’、１７ｆ’、１７ｇ’、１７ｈ’、１７ｉ’、１７ｊ’、１７ｋ’  伸縮弾性材料
１７”、１７ａ”、１７ｆ”、１７ｇ”、１７ｈ”、１７ｉ”、１７ｊ”、１７ｋ”  不織布
１８、１８’１８ａ、１８ｂ、１８ｃ、１８ｄ、１８ｄ’、１８ｅ、１８ｆ、１８ｇ、１８ｈ、１８ｉ、１８ｊ、１８ｋ、１８ｌ、１８ｍ、１９、１９ａ、１９ｂ、１９ｃ、１９ｄ、１９ｅ、１９ｆ、１９ｇ、１９ｈ、１９ｉ、１９ｊ、１９ｋ、１９ｌ、１９ｍ、１９ｎ、１９ｏ、１９ｐ  連結シート
１８ｂ’、１８ｃ’、１８ｄ”、１８ｊ”  疎水性シート
１８ｂ”、１８ｃ”、１８ｄ’、１８ｊ’  親水性シート
２０、２０ａ、２０ｂ、２０ｃ、２０ｄ、２０ｅ、２０ｆ  前端結合部
２２、２２ａ、２２ｂ、２２ｃ、２２ｄ、２２ｅ、２２ｆ  後端結合部
２４、２４ａ、２４ｂ、２４ｃ、２４ｄ、２４ｅ、２４ｆ、２４ｇ、２４ｈ、２４ｉ、２４ｊ、２４ｋ、２６、２６ａ、２６ｂ、２６ｃ、２６ｄ、２６ｅ、２６ｆ、２６ｇ、２６ｈ、２６ｉ、２６ｊ、２６ｋ、２６ｌ、２７、２７ａ、２７ｂ、２７ｂ’、２７ｃ、２７ｃ’  結合部
２８  着脱部材
３０  アウターレッグギャザー（ＯＬＧ）
３２、３２ａ  トップシート
３４、３４ａ、３４ｂ、３４ｃ、３４ｄ、３５、３５ａ、３５ｂ、３５ｂ’  切欠き
３６、３６ａ、３６ｂ、３６ｃ  開口
３８、３８ａ、３８ｂ、３８ｃ、３８ｄ、３８ｅ、３８ｆ、３９、３９’、３９ａ、３９ａ’、３９ｂ、３９ｂ’、３９ｃ、３９ｃ’、３９ｄ、３９ｄ’  スリット
４０  外装シート
４２  ウエストギャザー
４４  シャーリングギャザー
４６  立体レッグギャザー（ＳＬＧ）
１００、１０１、１０２、１０３、１０４、１０５、１０６、１０７、２００  吸収体物品
Ｃ  股下部
Ｃａ  体液受容キャナル
Ｆ  前身頃
ＮＡ  非伸縮性領域
Ｒ  後身頃
ＳＡ  伸縮性領域
【図１】
2014057571.tif 000006
【図２】
2014057571.tif 000007
【図３】
2014057571.tif 000008
【図４】
2014057571.tif 000009
【図５】
2014057571.tif 000010
【図６】
2014057571.tif 000011
【図７】
2014057571.tif 000012
【図８】
2014057571.tif 000013
【図９】
2014057571.tif 000014
【図１０】
2014057571.tif 000015
【図１１】
2014057571.tif 000016
【図１２】
2014057571.tif 000017
【図１３】
2014057571.tif 000018
【図１４】
2014057571.tif 000019
【図１５】
2014057571.tif 000020
【図１６】
2014057571.tif 000021
【図１７】
2014057571.tif 000022
【図１８】
2014057571.tif 000023
【図１９】
2014057571.tif 000024
【図２０】
2014057571.tif 000025
【図２１】
2014057571.tif 000026
【図２２】
2014057571.tif 000027
【図２３】
2014057571.tif 000028
【図２４】
2014057571.tif 000029
【図２５】
2014057571.tif 000030
【図２６】
2014057571.tif 000031
【図２７】
2014057571.tif 000032
【図２８】
2014057571.tif 000033
【手続補正書】
【提出日】平成25年2月7日(2013.2.7)
【手続補正１】
【補正対象書類名】特許請求の範囲
【補正対象項目名】全文
【補正方法】変更
【補正の内容】
【特許請求の範囲】
【請求項１】
シート状の防漏体と、前記防漏体の上部に少なくとも一層配置された体液を吸収しうる吸収体とを有する吸収体物品本体と、
前記吸収体物品本体の長さ方向の前端部から、前身頃、股下部及び後身頃を経て、後端部にわたって配置され、前記吸収体物品本体と前記前端部及び前記後端部において結合する連結構造体と
を具備する吸収体物品であって、
前記連結構造体が、左右一対の帯状支持体と、左右の縁部がそれぞれ前記左右一対の帯状支持体と結合する連結シートとを有し、
前記連結シートが、前身頃、股下部及び後身頃において、前記帯状支持体の下側に前記吸収体に向かって垂下するように構成されて、前記連結シートの前記左右の縁部付近が側面、前記連結シートの左右方向の中央部付近が底面となる、体液受容キャナルが形成されており、
前記体液受容キャナルが、着用者から排出された体液の受容及び前記吸収体への移行を可能とする、吸収体物品であって、
前記体液受容キャナルの底面を構成する前記連結シートの下面の一部と前記吸収体の表面とが結合している、記載の吸収体物品。
【請求項２】
前記連結シートの前記底面を構成する部分が、股下部において、前記吸収体の表面と結合していない部分を有する、請求項１に記載の吸収体物品。
【請求項３】
前記連結シートの前記底面を構成する部分が、前後方向の少なくとも１箇所において、前記底面の左右方向の全幅にわたって前記吸収体の表面と結合していない部分を有する、請求項１又は２に記載の吸収体物品。
【請求項４】
前記体液受容キャナルがその上部に開口を有する、請求項１〜３のいずれかに記載の吸収体物品。
【請求項５】
前記帯状支持体が少なくともその一部に伸縮性を有する、請求項１〜４のいずれかに記載の吸収体物品。
【請求項６】
前記体液受容キャナルを構成する前記連結シートに、着用者から排出された体液を前記吸収体に移行させるための出口となる切欠きが設けられている、請求項１〜５のいずれかに記載の吸収体物品。
【請求項７】
前記体液受容キャナルを構成する前記連結シートに、着用者から排出された体液を前記吸収体に移行させるための出口となる開口が設けられている、請求項１〜６のいずれかに記載の吸収体物品。
【請求項８】
前記体液受容キャナルを構成する前記連結シートに、着用者から排出された体液を前記吸収体に移行させるための出口となるスリットが設けられている、請求項１〜７のいずれかに記載の吸収体物品。
【請求項９】
前記連結シートの一部又は全部が疎水性の不織布により構成されている、請求項１〜８のいずれかに記載の吸収体物品。
【請求項１０】
前記連結シートの一部又は全部が親水性の不織布により構成されている、請求項１〜８のいずれかに記載の吸収体物品。
【請求項１１】
前記連結シートの一部又は全部が疎水性部分と親水性部分を併有する不織布により構成されている、請求項１〜８のいずれかに記載の吸収体物品。
【請求項１２】
前記連結シートが液透過性の開孔フィルムにより構成されている、請求項１〜８のいずれかに記載の吸収体物品。
【請求項１３】
前記連結構造体が、その前端及び前記前端から連なる左右両縁の部分において、前記吸収体物品本体と結合しており、前記連結構造体と前記吸収体物品本体とにより前部ポケットが形成されている、請求項１〜１２のいずれかに記載の吸収体物品。
【請求項１４】
前記連結構造体が、その後端及び前記後端から連なる左右両縁の部分において、前記吸収体物品本体と結合しており、前記連結構造体と前記吸収体物品本体とにより後部ポケットが形成されている、請求項１〜１３のいずれかに記載の吸収体物品。
【請求項１５】
前記体液受容キャナルの垂下度が、股下部から後身頃にかけて小さくなっていく、請求項１〜１４のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
【請求項１６】
前記体液受容キャナルの垂下度が、股下部から前身頃にかけて小さくなっていく、請求項１〜１５のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
【請求項１７】
更に、前記体液受容キャナルの左右方向の外側にインナーレッグギャザーが設けられている、請求項１〜１６のいずれかに記載の吸収体物品。
【請求項１８】
更に、前記吸収体物品本体の左右縁部にアウターレッグギャザーが設けられている、請求項１〜１７のいずれかに記載の吸収体物品。
【手続補正２】
【補正対象書類名】明細書
【補正対象項目名】００１１
【補正方法】変更
【補正の内容】
【００１１】
すなわち、本発明は、以下の（１）〜（１８）を提供する。
（１）シート状の防漏体と、前記防漏体の上部に少なくとも一層配置された体液を吸収しうる吸収体とを有する吸収体物品本体と、
前記吸収体物品本体の長さ方向の前端部から、前身頃、股下部及び後身頃を経て、後端部にわたって配置され、前記吸収体物品本体と前記前端部及び前記後端部において結合する連結構造体と
を具備する吸収体物品であって、
前記連結構造体が、左右一対の帯状支持体と、左右の縁部がそれぞれ前記左右一対の帯状支持体と結合する連結シートとを有し、
前記連結シートが、前身頃、股下部及び後身頃において、前記帯状支持体の下側に前記吸収体に向かって垂下するように構成されて、前記連結シートの前記左右の縁部付近が側面、前記連結シートの左右方向の中央部付近が底面となる、体液受容キャナルが形成されており、
前記体液受容キャナルが、着用者から排出された体液の受容及び前記吸収体への移行を可能とする、吸収体物品であって、
前記体液受容キャナルの底面を構成する前記連結シートの下面の一部と前記吸収体の表面とが結合している、吸収体物品。
（２）前記連結シートの前記底面を構成する部分が、股下部において、前記吸収体の表面と結合していない部分を有する、上記（１）に記載の吸収体物品。
（３）前記連結シートの前記底面を構成する部分が、前後方向の少なくとも１箇所において、前記底面の左右方向の全幅にわたって前記吸収体の表面と結合していない部分を有する、上記（１）又は（２）に記載の吸収体物品。
（４）前記体液受容キャナルがその上部に開口を有する、上記（１）〜（３）のいずれかに記載の吸収体物品。
（５）前記帯状支持体が少なくともその一部に伸縮性を有する、上記（１）〜（４）のいずれかに記載の吸収体物品。
（６）前記体液受容キャナルを構成する前記連結シートに、着用者から排出された体液を前記吸収体に移行させるための出口となる切欠きが設けられている、上記（１）〜（５）のいずれかに記載の吸収体物品。
（７）前記体液受容キャナルを構成する前記連結シートに、着用者から排出された体液を前記吸収体に移行させるための出口となる開口が設けられている、上記（１）〜（６）のいずれかに記載の吸収体物品。
（８）前記体液受容キャナルを構成する前記連結シートに、着用者から排出された体液を前記吸収体に移行させるための出口となるスリットが設けられている、上記（１）〜（７）のいずれかに記載の吸収体物品。
（９）前記連結シートの一部又は全部が疎水性の不織布により構成されている、上記（１）〜（８）のいずれかに記載の吸収体物品。
（１０）前記連結シートの一部又は全部が親水性の不織布により構成されている、上記（１）〜（８）のいずれかに記載の吸収体物品。
（１１）前記連結シートの一部又は全部が疎水性部分と親水性部分を併有する不織布により構成されている、上記（１）〜（８）のいずれかに記載の吸収体物品。
（１２）前記連結シートが液透過性の開孔フィルムにより構成されている、上記（１）〜（８）のいずれかに記載の吸収体物品。
（１３）前記連結構造体が、その前端及び前記前端から連なる左右両縁の部分において、前記吸収体物品本体と結合しており、前記連結構造体と前記吸収体物品本体とにより前部ポケットが形成されている、上記（１）〜（１２）のいずれかに記載の吸収体物品。
（１４）前記連結構造体が、その後端及び前記後端から連なる左右両縁の部分において、前記吸収体物品本体と結合しており、前記連結構造体と前記吸収体物品本体とにより後部ポケットが形成されている、上記（１）〜（１３）のいずれかに記載の吸収体物品。
（１５）前記体液受容キャナルの垂下度が、股下部から後身頃にかけて小さくなっていく、上記（１）〜（１４）のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
（１６）前記体液受容キャナルの垂下度が、股下部から前身頃にかけて小さくなっていく、上記（１）〜（１５）のいずれかに記載の吸収体物品。
ただし、垂下度（ｈ／ｗ）は、前記左右一対の帯状支持体の内側の間隔（ｗ）に対する前記帯状支持体の上面を結ぶ面と前記連結シートの底面との距離（ｈ）の比である。
（１７）更に、前記体液受容キャナルの左右方向の外側にインナーレッグギャザーが設けられている、上記（１）〜（１６）のいずれかに記載の吸収体物品。
（１８）更に、前記吸収体物品本体の左右縁部にアウターレッグギャザーが設けられている、上記（１）〜（１７）のいずれかに記載の吸収体物品。
【国際調査報告】
2014057571.tif 000034
2014057571.tif 000035
2014057571.tif 000036
2014057571.tif 000037